(57)【要約】  ユーザ機器による効率的な受信を可能にするためにシステム情報（ＳＩ）メッセージ中でシステム情報を送信する技法を説明する。より多くのＳＩメッセージをスケジュールできるように、基準時間の後のフォワードスペースと基準時間より前のバックワードスペースとの双方を使用して、ＳＩメッセージをスケジュールする。基地局は、少なくとも１つのＳＩメッセージをフォワードスペース中の少なくとも１つのＳＩウィンドウに割り当て、少なくとも１つの付加的なＳＩメッセージをバックワードスペース中の少なくとも１つの付加的なＳＩウィンドウに割り当てる。基地局は、ＳＩメッセージのインデックス、ＳＩメッセージの周期、すべてのＳＩメッセージに共通するＳＩウィンドウ長に基づいて、各ＳＩウィンドウのポジションを決定し、そのＳＩメッセージに対する、周期的に生じるＳＩウィンドウ内で各ＳＩメッセージを送る。【選択図】    図４
2012508510.tif 000002
【特許請求の範囲】
【請求項１】
システム情報を送る方法において、
少なくとも１つのシステム情報（ＳＩ）メッセージを、基準時間の後のフォワードスペース中の少なくとも１つのＳＩウィンドウに割り当てることと、
少なくとも１つの付加的なＳＩメッセージを、前記基準時間より前のバックワードスペース中の少なくとも１つの付加的なＳＩウィンドウに割り当てることと、
前記ＳＩメッセージに対するＳＩウィンドウ内で、各ＳＩメッセージを送ることとを含む方法。
【請求項２】
すべてのＳＩメッセージが反復する無線フレームに基づいて、前記基準時間を決定することをさらに含む請求項１記載の方法。
【請求項３】
前記ＳＩメッセージのインデックスと、前記ＳＩメッセージの周期と、すべてのＳＩメッセージに共通するＳＩウィンドウ長とに基づいて、各ＳＩメッセージに対する前記ＳＩウィンドウのポジションを決定することをさらに含む請求項１記載の方法。
【請求項４】
送るためのＳＩメッセージのリストを決定することをさらに含み、
前記リスト中の１つおきのＳＩメッセージが、前記フォワードスペース中のＳＩウィンドウに割り当てられ、前記リスト中の残りの各ＳＩメッセージが、前記バックワードスペース中のＳＩウィンドウに割り当てられる請求項１記載の方法。
【請求項５】
方程式： 
【数１】
2012508510.tif 000011
および、
【数２】
2012508510.tif 000012
にしたがって、各ＳＩメッセージに対する前記ＳＩウィンドウのポジションを決定することをさらに含み、
ｎはＳＩメッセージのインデックスであり、ＴnはＳＩメッセージｎの周期であり、ｘnはＳＩメッセージｎに対するＳＩウィンドウオフセットであり、ｗはＳＩウィンドウ長であり、ＳＦＮはシステムフレーム番号を示し、ＦＬＯＯＲはフロア演算を示し、ＣＥＩＬはシーリング演算を示し、“ｍｏｄ”はモジュロ演算を示している請求項１記載の方法。
【請求項６】
前記少なくとも１つのＳＩメッセージ中で第１の組のシステム情報ブロック（ＳＩＢ）を送ることと、
前記少なくとも１つの付加的なＳＩメッセージ中で第２の組のＳＩＢを送ることとをさらに含み、
前記第１の組のＳＩＢは、すべてのユーザ機器（ＵＥ）により受信可能であり、
前記第２の組のＳＩＢは、前記フォワードスペースと前記バックワードスペースとの双方においてＳＩメッセージを受信することが可能なＵＥにより受信可能である請求項１記載の方法。
【請求項７】
送るためのＳＩメッセージのリストを決定することをさらに含み、前記リストは、前記少なくとも１つの付加的なＳＩメッセージがその後に続く、前記少なくとも１つのＳＩメッセージを含む請求項１記載の方法。
【請求項８】
第１のインデックスｎを持つ前記少なくとも１つのＳＩメッセージを、前記フォワードスペースに対して割り当てることと、
第２のインデックスｍを持つ前記少なくとも１つの付加的なＳＩメッセージを、前記バックワードスペースに対して割り当てることとをさらに含む請求項１記載の方法。
【請求項９】
第１の組の方程式に基づいて、前記フォワードスペース中の前記少なくとも１つのＳＩウィンドウのポジションを決定することと、
第２の組の方程式に基づいて、前記バックワードスペース中の前記少なくとも１つの付加的なＳＩウィンドウのポジションを決定することとをさらに含む請求項１記載の方法。
【請求項１０】
方程式：
【数３】
2012508510.tif 000013
および、
【数４】
2012508510.tif 000014
にしたがって、前記少なくとも１つのＳＩメッセージのそれぞれに対するＳＩウィンドウのポジションを決定することをさらに含み、
ｎは前記少なくとも１つのＳＩメッセージの中のＳＩメッセージのインデックスであり、ＴnはＳＩメッセージｎの周期であり、ｘnはＳＩメッセージｎに対するＳＩウィンドウオフセットであり、ｗはＳＩウィンドウ長であり、ＳＦＮはシステムフレーム番号を示し、ＦＬＯＯＲはフロア演算を示し、“ｍｏｄ”はモジュロ演算を示している請求項１記載の方法。
【請求項１１】
方程式：
【数５】
2012508510.tif 000015
および、
【数６】
2012508510.tif 000016
にしたがって、前記少なくとも１つの付加的なＳＩメッセージのそれぞれに対するＳＩウィンドウのポジションを決定することをさらに含み、
ｍは前記少なくとも１つの付加的なＳＩメッセージの中のＳＩメッセージのインデックスであり、ＴmはＳＩメッセージｍの周期であり、ｘmはＳＩメッセージｍに対するＳＩウィンドウオフセットであり、ｗはＳＩウィンドウ長であり、ＳＦＮはシステムフレーム番号を示し、ＦＬＯＯＲはフロア演算を示し、“ｍｏｄ”はモジュロ演算を示している請求項１記載の方法。
【請求項１２】
ワイヤレス通信のための装置において、
少なくとも１つのシステム情報（ＳＩ）メッセージを、基準時間の後のフォワードスペース中の少なくとも１つのＳＩウィンドウに割り当てる手段と、
少なくとも１つの付加的なＳＩメッセージを、前記基準時間より前のバックワードスペース中の少なくとも１つの付加的なＳＩウィンドウに割り当てる手段と、
前記ＳＩメッセージに対するＳＩウィンドウ内で、各ＳＩメッセージを送る手段とを具備する装置。
【請求項１３】
前記ＳＩメッセージのインデックスと、前記ＳＩメッセージの周期と、すべてのＳＩメッセージに共通するＳＩウィンドウ長とに基づいて、各ＳＩメッセージに対する前記ＳＩウィンドウのポジションを決定する手段をさらに具備する請求項１２記載の装置。
【請求項１４】
送るためのＳＩメッセージのリストを決定する手段をさらに具備し、
前記リスト中の１つおきのＳＩメッセージが、前記フォワードスペース中のＳＩウィンドウに割り当てられ、前記リスト中の残りの各ＳＩメッセージが、前記バックワードスペース中のＳＩウィンドウに割り当てられる請求項１２記載の装置。
【請求項１５】
前記少なくとも１つのＳＩメッセージ中で第１の組のシステム情報ブロック（ＳＩＢ）を送る手段と、
前記少なくとも１つの付加的なＳＩメッセージ中で第２の組のＳＩＢを送る手段とをさらに具備し、
前記第１の組のＳＩＢは、すべてのユーザ機器（ＵＥ）により受信可能であり、
前記第２の組のＳＩＢは、前記フォワードスペースと前記バックワードスペースとの双方においてＳＩメッセージを受信することが可能なＵＥにより受信可能である請求項１２記載の装置。
【請求項１６】
第１の組の方程式に基づいて、前記フォワードスペース中の前記少なくとも１つのＳＩウィンドウのポジションを決定する手段と、
第２の組の方程式に基づいて、前記バックワードスペース中の前記少なくとも１つの付加的なＳＩウィンドウのポジションを決定する手段とをさらに具備する請求項１２記載の装置。
【請求項１７】
ワイヤレス通信のための装置において、
少なくとも１つのシステム情報（ＳＩ）メッセージを、基準時間の後のフォワードスペース中の少なくとも１つのＳＩウィンドウに割り当てるようにと、
少なくとも１つの付加的なＳＩメッセージを、前記基準時間より前のバックワードスペース中の少なくとも１つの付加的なＳＩウィンドウに割り当てるようにと、
前記ＳＩメッセージに対するＳＩウィンドウ内で、各ＳＩメッセージを送るように構成されている少なくとも１つのプロセッサを具備する装置。
【請求項１８】
前記少なくとも１つのプロセッサは、
前記ＳＩメッセージのインデックスと、前記ＳＩメッセージの周期と、すべてのＳＩメッセージに共通するＳＩウィンドウ長とに基づいて、各ＳＩメッセージに対する前記ＳＩウィンドウのポジションを決定するように構成されている請求項１７記載の装置。
【請求項１９】
前記少なくとも１つのプロセッサは、
送るためのＳＩメッセージのリストを決定するようにと、
前記リスト中の１つおきのＳＩメッセージを、前記フォワードスペース中のＳＩウィンドウに割り当てるようにと、
前記リスト中の残りの各ＳＩメッセージを、前記バックワードスペース中のＳＩウィンドウに割り当てるように構成されている請求項１７記載の装置。
【請求項２０】
前記少なくとも１つのプロセッサは、
前記少なくとも１つのＳＩメッセージ中で第１の組のシステム情報ブロック（ＳＩＢ）を送るようにと、
前記少なくとも１つの付加的なＳＩメッセージ中で第２の組のＳＩＢを送るように構成され、
前記第１の組のＳＩＢは、すべてのユーザ機器（ＵＥ）により受信可能であり、
前記第２の組のＳＩＢは、前記フォワードスペースと前記バックワードスペースとの双方においてＳＩメッセージを受信することが可能なＵＥにより受信可能である請求項１７記載の装置。
【請求項２１】
前記少なくとも１つのプロセッサは、
第１の組の方程式に基づいて、前記フォワードスペース中の前記少なくとも１つのＳＩウィンドウのポジションを決定するようにと、
第２の組の方程式に基づいて、前記バックワードスペース中の前記少なくとも１つの付加的なＳＩウィンドウのポジションを決定するように構成されている請求項１７記載の装置。
【請求項２２】
コンピュータプログラムプロダクトにおいて、
少なくとも１つのコンピュータに、少なくとも１つのシステム情報（ＳＩ）メッセージを、基準時間の後のフォワードスペース中の少なくとも１つのＳＩウィンドウに割り当てさせるためのコードと、
前記少なくとも１つのコンピュータに、少なくとも１つの付加的なＳＩメッセージを、前記基準時間より前のバックワードスペース中の少なくとも１つの付加的なＳＩウィンドウに割り当てさせるためのコードと、
前記少なくとも１つのコンピュータに、前記ＳＩメッセージに対するＳＩウィンドウ内で、各ＳＩメッセージを送らせるためのコードとを含むコンピュータ読取可能媒体を具備するコンピュータプログラムプロダクト。
【請求項２３】
システム情報を受信する方法において、
基準時間の後に続くフォワードスペース中の少なくとも１つのＳＩウィンドウに割り当てられている、少なくとも１つのシステム情報（ＳＩ）メッセージを識別することと、
前記基準時間より前のバックワードスペース中の少なくとも１つの付加的なＳＩウィンドウに割り当てられている、少なくとも１つの付加的なＳＩメッセージを識別することと、
前記ＳＩメッセージに対するＳＩウィンドウ内で、各ＳＩメッセージを受信することとを含む方法。
【請求項２４】
すべてのＳＩメッセージが反復する無線フレームに基づいて、前記基準時間を決定することをさらに含む請求項２３記載の方法。
【請求項２５】
前記ＳＩメッセージのインデックスと、前記ＳＩメッセージの周期と、すべてのＳＩメッセージに共通するＳＩウィンドウ長とに基づいて、各ＳＩメッセージに対する前記ＳＩウィンドウのポジションを決定することをさらに含む請求項２３記載の方法。
【請求項２６】
送られるＳＩメッセージのリストを受信することをさらに含み、
前記リスト中の１つおきのＳＩメッセージが、前記フォワードスペース中のＳＩウィンドウに割り当てられ、前記リスト中の残りの各ＳＩメッセージが、前記バックワードスペース中のＳＩウィンドウに割り当てられている請求項２３記載の方法。
【請求項２７】
前記少なくとも１つのＳＩメッセージから第１の組のシステム情報ブロック（ＳＩＢ）を取得することと、
前記少なくとも１つの付加的なＳＩメッセージから第２の組のＳＩＢを取得することとをさらに含み、
前記第１の組のＳＩＢは、すべてのユーザ機器（ＵＥ）に向けられており、
前記第２の組のＳＩＢは、前記フォワードスペースと前記バックワードスペースとの双方においてＳＩメッセージを受信することが可能なＵＥに向けられている請求項２３記載の方法。
【請求項２８】
送られるＳＩメッセージのリストを受信することをさらに含み、前記リストは、前記少なくとも１つの付加的なＳＩメッセージがその後に続く、前記少なくとも１つのＳＩメッセージを含む請求項２３記載の方法。
【請求項２９】
第１の組の方程式に基づいて、前記フォワードスペース中の前記少なくとも１つのＳＩウィンドウのポジションを決定することと、
第２の組の方程式に基づいて、前記バックワードスペース中の前記少なくとも１つの付加的なＳＩウィンドウのポジションを決定することとをさらに含む請求項２３記載の方法。
【請求項３０】
ワイヤレス通信のための装置において、
基準時間の後に続くフォワードスペース中の少なくとも１つのＳＩウィンドウに割り当てられている、少なくとも１つのシステム情報（ＳＩ）メッセージを識別する手段と、
前記基準時間より前のバックワードスペース中の少なくとも１つの付加的なＳＩウィンドウに割り当てられている、少なくとも１つの付加的なＳＩメッセージを識別する手段と、
前記ＳＩメッセージに対するＳＩウィンドウ内で、各ＳＩメッセージを受信する手段とを具備する装置。
【請求項３１】
前記ＳＩメッセージのインデックスと、前記ＳＩメッセージの周期と、すべてのＳＩメッセージに共通するＳＩウィンドウ長とに基づいて、各ＳＩメッセージに対する前記ＳＩウィンドウのポジションを決定する手段をさらに具備する請求項３０記載の装置。
【請求項３２】
送られるＳＩメッセージのリストを受信する手段をさらに具備し、
前記リスト中の１つおきのＳＩメッセージが、前記フォワードスペース中のＳＩウィンドウに割り当てられ、前記リスト中の残りの各ＳＩメッセージが、前記バックワードスペース中のＳＩウィンドウに割り当てられている請求項３０記載の装置。
【請求項３３】
前記少なくとも１つのＳＩメッセージから第１の組のシステム情報ブロック（ＳＩＢ）を取得する手段と、
前記少なくとも１つの付加的なＳＩメッセージから第２の組のＳＩＢを取得する手段とをさらに具備し、
前記第１の組のＳＩＢは、すべてのユーザ機器（ＵＥ）に向けられており、
前記第２の組のＳＩＢは、前記フォワードスペースと前記バックワードスペースとの双方においてＳＩメッセージを受信することが可能なＵＥに向けられている請求項３０記載の装置。
【請求項３４】
第１の組の方程式に基づいて、前記フォワードスペース中の前記少なくとも１つのＳＩウィンドウのポジションを決定する手段と、
第２の組の方程式に基づいて、前記バックワードスペース中の前記少なくとも１つの付加的なＳＩウィンドウのポジションを決定する手段とをさらに具備する請求項３０記載の装置。
【請求項３５】
ワイヤレス通信のための方法において、
第１の組の方程式に基づいて、少なくとも１つのシステム情報（ＳＩ）メッセージに対する少なくとも１つのＳＩウィンドウのポジションを決定することと、
第２の組の方程式に基づいて、少なくとも１つの付加的なＳＩメッセージに対する少なくとも１つの付加的なＳＩウィンドウのポジションを決定することとを含む方法。
【請求項３６】
前記ＳＩメッセージに対するＳＩウィンドウ内で、各ＳＩメッセージを送ることをさらに含む請求項３５記載の方法。
【請求項３７】
前記ＳＩメッセージに対するＳＩウィンドウ内で、各ＳＩメッセージを受信することをさらに含む請求項３５記載の方法。
【請求項３８】
前記少なくとも１つのＳＩウィンドウは、基準時間の後に続くフォワードスペース中に位置しており、
前記少なくとも１つの付加的なＳＩウィンドウは、前記基準時間より前のバックワードスペース中に位置している請求項３５記載の方法。
【請求項３９】
各ＳＩメッセージに対する前記ＳＩウィンドウのポジションは、前記ＳＩメッセージのインデックスと、前記ＳＩメッセージの周期と、すべてのＳＩメッセージに共通するＳＩウィンドウ長とに基づいて決定される請求項３５記載の方法。
【発明の詳細な説明】
【優先権の主張】
【０００１】
本出願は、それらの譲受人に譲渡され、参照によりここに組み込まれている、双方ともに“ワイヤレス通信システムにおいてシステム情報（ＳＩ）ウィンドウを増加させるための方法および装置”と題する、２００８年１１月３日に出願された米国仮出願シリアル番号第６１／１１０，９８３号と、２００９年３月１６日に出願された米国仮出願シリアル番号第６１／１６０，５９５号とに対する優先権を主張する。
【背景】
【０００２】
Ｉ．分野
本開示は一般的に通信に関し、さらに詳細には、ワイヤレス通信システム中でシステム情報を送るための技術に関する。
【０００３】
ＩＩ．背景
ワイヤレス通信システムは、幅広く展開され、音声、ビデオ、パケットデータ、メッセージング、ブロードキャスト等のようなさまざまな通信コンテンツを提供している。これらのワイヤレスシステムは、利用可能なシステムリソースを共有することにより、複数のユーザをサポートすることが可能である多元接続システムとすることができる。このような多元接続システムの例には、コード分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、および、単一搬送波ＦＤＭＡ（ＳＣ−ＦＤＭＡ）システムが含まれる。
【０００４】
ワイヤレス通信システムは、多数のユーザ機器（ＵＥ）に対する通信をサポートすることができる多数の基地局を含んでいてもよい。基地局は、システム中のＵＥによる動作をサポートするために使用されるさまざまなパラメータを含むシステム情報を送信することができる。ＵＥに適用可能なシステム情報を、ＵＥが効率的に受信することができるように、システム情報を送信することが望ましい。
【概要】
【０００５】
ＵＥによる効率的な受信を可能にする方法でシステム情報を送信するための技法をここで説明する。システム情報は、１組のシステム情報（ＳＩ）メッセージ中で送られてもよい。各ＳＩメッセージは、ＳＩメッセージに対する、（ＳＩウィンドウとして呼ぶことがある）周期的に生じる時間ウィンドウ内で送信されてもよい。下記で説明するように、効率的な受信を可能にするために、ＳＩメッセージのインデックスと、ＳＩメッセージの周期と、すべてのＳＩメッセージに共通するＳＩウィンドウ長とに基づいて、各ＳＩメッセージに対するＳＩウィンドウのポジションを規定してもよい。
【０００６】
１つの側面では、基準時間の後のフォワードスペースと、基準時間より前のバックワードスペースとの双方を使用して、ＳＩメッセージをスケジュールすることができる。基準時間は、すべてのＳＩメッセージが反復する最初の無線フレームの始まりであってもよい。フォワードスペースとバックワードスペースとの双方の使用により、より多くのＳＩメッセージを送信することが可能になる。
【０００７】
１つの設計では、少なくとも１つのＳＩメッセージを、フォワードスペース中の少なくとも１つのＳＩウィンドウに割り当ててもよく、少なくとも１つの付加的なＳＩメッセージを、バックワードスペース中の少なくとも１つの付加的なＳＩウィンドウに割り当ててもよい。１つのスケジューリング設計では、基地局は、送るためのＳＩメッセージのリストを決定してもよく、リスト中のＳＩメッセージをフォワードスペースとバックワードスペースとに交互に割り当ててもよい。特に、基地局は、リスト中の１つおきのＳＩメッセージをフォワードスペース中のＳＩウィンドウに割り当ててもよく、リスト中の残りの各ＳＩメッセージをバックワードスペース中のＳＩウィンドウに割り当ててもよい。別のスケジューリング設計では、基地局は、あるＳＩメッセージをフォワードスペース中で送り、他のＳＩメッセージをバックワードスペース中で送ることを選んでもよい。基地局は、第１の組の方程式に基づいて、フォワードスペース中の少なくとも１つのＳＩウィンドウのポジションを決定してもよく、第２の組の方程式に基づいて、バックワードスペース中の少なくとも１つの付加的なＳＩウィンドウのポジションを決定してもよい。すべてのスケジューリング設計に対して、基地局は、そのＳＩメッセージに対するＳＩウィンドウ内で、各ＳＩメッセージを送ってもよい。
【０００８】
１つの設計では、ＵＥは、フォワードスペース中の少なくとも１つのＳＩウィンドウに割り当てられている、少なくとも１つのＳＩメッセージを識別してもよく、バックワードスペース中の少なくとも１つの付加的なＳＩウィンドウに割り当てられている、少なくとも１つの付加的なＳＩメッセージを識別してもよい。ＵＥは、そのＳＩメッセージに対するＳＩウィンドウ内で、各ＳＩメッセージを受信してもよい。
【０００９】
本開示のさまざまな側面および特徴は、下記でさらに詳細に説明する。
【図面の簡単な説明】
【００１０】
【図１】図１は、ワイヤレス通信システムを示している。
【図２】図２は、例示的なフレーム構造を示している。
【図３】図３は、フォワードスペースのみを使用する、ＳＩメッセージの送信を示している。
【図４】図４は、フォワードスペースとバックワードスペースとの双方を使用して、ＳＩメッセージを送信するための設計を示している。
【図５】図５は、フォワードスペースとバックワードスペースとの双方を使用して、ＳＩメッセージを送信するための設計を示している。
【図６】図６は、システム情報を送るためのプロセスを示している。
【図７】図７は、システム情報を送るための装置を示している。
【図８】図８は、システム情報を受信するためのプロセスを示している。
【図９】図９は、システム情報を受信するための装置を示している。
【図１０】図１０は、システム情報を交換するためのプロセスを示している。
【図１１】図１１は、システム情報を交換するための装置を示している。
【図１２】図１２は、基地局およびＵＥのブロックダイヤグラムを示している。
【詳細な説明】
【００１１】
ＣＤＭＡ、ＴＤＭＡ、ＦＤＭＡ、ＯＦＤＭＡ、ＳＣ−ＦＤＭＡ、および、他のシステムのような、さまざまなワイヤレス通信システムに対して、ここで説明する技法を使用してもよい。用語“システム”および“ネットワーク”は、互換性があるように使用されることが多い。ＣＤＭＡシステムは、ユニバーサル地上無線アクセス（ＵＴＲＡ）、ｃｄｍａ２０００等のような無線技術を実現してもよい。ＵＴＲＡは、ワイドバンドＣＤＭＡ（Ｗ−ＣＤＭＡ）と、ＣＤＭＡの他の変形とを含んでいる。ｃｄｍａ２０００は、ＩＳ−２０００標準規格と、ＩＳ−９５標準規格と、ＩＳ−８５６標準規格をカバーしている。ＴＤＭＡシステムは、グローバルシステムフォーモバイルコミュニケーション（ＧＳＭ（登録商標））のような無線技術を実現してもよい。ＯＦＤＭＡシステムは、進化したＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ）、ＩＥＥＥ８０２．２０、フラッシュ−ＯＦＤＭ（登録商標）等のような、無線技術を実現してもよい。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）とＬＴＥ−アドバンスト（ＬＴＥ−Ａ）は、ＵＭＴＳの新しいリリースである。ＵＭＴＳは、ダウンリンク上ではＯＦＤＭＡを用いて、アップリンク上ではＳＣ−ＦＤＭＡを用いるＥ−ＵＴＲＡを使用する。ＵＴＲＡと、Ｅ−ＵＴＲＡと、ＵＭＴＳと、ＬＴＥと、ＬＴＥ−Ａと、ＧＳＭは、“第三世代パートナーシッププロジェクト”（３ＧＰＰ）という名の組織による文書中に記述されている。ｃｄｍａ２０００とＵＭＢは、“第三世代パートナーシッププロジェクト２”（３ＧＰＰ２）という名の組織による文書中に記述されている。ここで説明する技法は、上記で述べたシステムおよび無線技術とともに、他のシステムおよび無線技術に対して使用することができる。明確さのために、ＬＴＥに対する技法のある側面を下記で説明し、下記の説明の大部分においてＬＴＥ専門用語を使用する。
【００１２】
図１は、ＬＴＥシステムまたは他の何らかのシステムであってもよいワイヤレス通信システム１００を示している。システム１００は、多数の進化ノードＢ（ｅＮＢ）１１０と他のネットワークエンティティを含んでいてもよい。ｅＮＢは、ＵＥと通信する局であってもよく、基地局、ノードＢ、アクセスポイント等として呼ぶこともある。ＵＥ１２０は、システム全体にわたって分散されていることがあり、各ＵＥは、静的なものまたは移動性のものであってもよい。ＵＥはまた、移動局、端末、アクセス端末、加入者ユニット、局等として呼ぶこともある。ＵＥは、セルラ電話機、パーソナルデジタルアシスタント（ＰＤＡ）、ワイヤレスモデム、ワイヤレス通信デバイス、ハンドヘルドデバイス、ラップトップコンピュータ、コードレス電話機、ワイヤレスローカルループ（ＷＬＬ）局等であってもよい。ＵＥは、ダウンリンクおよびアップリンクを介してｅＮＢと通信してもよい。ダウンリンク（またはフォワードリンク）は、ｅＮＢからＵＥへの通信リンクのことを指し、アップリンク（またはリバースリンク）は、ＵＥからｅＮＢへの通信リンクのことを指す。
【００１３】
図２は、ＬＴＥ中で使用されるフレーム構造２００を示している。ダウンリンクに対する送信タイムラインは、無線フレームの単位に区分することができる。各無線フレームは、予め定められた時間量（例えば、１０ミリ秒（ｍｓ））を有していてもよく、１０ビットのシステムフレーム番号（ＳＦＮ）が割り当てられていてもよい。ＳＦＮは、特定の時間において０にリセットされることがあり、その後の各無線フレームに対して１だけインクリメントし、最大値の１０２３に達した後は、ゼロに折り返す。各無線フレームは、０ないし９のインデックスを持つ１０個のサブフレームに区分することができ、各サブフレームは、２つのスロットを含んでいてもよい。各無線フレームは、したがって、０〜１９のインデックスを持つ２０個のスロットを含んでいることがある。各スロットは、Ｌ個のシンボル期間を含んでいてもよく、ここで、Ｌは、拡張された巡回プリフィクスに対しては６に等しく、通常の巡回プリフィクスに対しては７に等しい。直交周波数分割多重化（ＯＦＤＭ）シンボルは、ダウンリンク上の各シンボル期間中で送信されてもよい。
【００１４】
各ｅＮＢは、ＵＥによる動作をサポートするために使用されるさまざまなパラメータを伝えるためのシステム情報を送信してもよい。システム情報は、システム情報の効率的な送受信を可能にするために、マスター情報ブロック（ＭＩＢ）と多数のシステム情報ブロック（ＳＩＢ）とに区分することができる。ＭＩＢは、ｅＮＢから他の情報を獲得するために使用される、限られた数の必須パラメータを含んでいてもよい。ＭＩＢは、（ＳＦＮ ｍｏｄ ４）＝０である各無線フレームのサブフレーム０において、４０ｍｓの固定のスケジュールにより、ブロードキャストチャネル（ＢＣＨ）上で周期的に送信されてもよく、ここで、“ｍｏｄ”は、モジュロ演算を示す。
【００１５】
Ｋ個のＳＩＢは、システム情報ブロックタイプ１ないしＫ、すなわちＳＩＢ１ないしＳＩＢ Ｋとして規定され、システム情報ブロックタイプ１ないしＫ、すなわちＳＩＢ１ないしＳＩＢ Ｋとして呼ぶことがある。一般に、Ｋは、何らかの整数値であってもよく、例えば、ＬＴＥリリース８に対しては、Ｋ＝１１である。各ＳＩＢは、ＵＥによる動作をサポートする特定の組のパラメータを運んでもよい。ＳＩＢ１は、Ｎ個のＳＩメッセージに対するスケジューリング情報とともに、ＳＩメッセージに対するＳＩＢのマッピングを運んでもよく、ここで、Ｎは、１または１より大きくてもよい。スケジューリング情報は、（ｉ）送信されるＮ個のＳＩメッセージを含むスケジューリングリストと、（ｉｉ）ＳＩメッセージが送られるかもしれない時間量を示すＳＩウィンドウ長と、（ｉｉｉ）各ＳＩメッセージの周期とを含んでいてもよい。マッピングは、どのＳＩＢが各ＳＩメッセージ中で送られるかを示していてもよく、各ＳＩＢは、１つのＳＩメッセージ中でのみ送られる。ＳＩＢ１およびＳＩメッセージは、ダウンリンク共有チャネル（ＤＬ−ＳＣＨ）上で送信されてもよい。ＳＩＢ１は、（ＳＦＮ ｍｏｄ ８）＝０である各無線フレームのサブフレーム５において、８０ｍｓの周期により送信されてもよい。
【００１６】
ＳＩメッセージは、ＳＩウィンドウとして呼ぶことがある、周期的に生じる時間ドメインウィンドウ内で送信されてもよい。各ＳＩメッセージは、ＳＩメッセージの周期において生じることがある特定のＳＩウィンドウに関係付けられていてもよい。異なるＳＩメッセージに対するＳＩウィンドウは、時間的にオーバーラップしない。したがって、何らかの所定のＳＩウィンドウに対しては、そのＳＩウィンドウ内で、対応するＳＩメッセージのみを送信することができる。各ＳＩメッセージは、動的なスケジューリングにより、そのＳＩウィンドウ内で、１回以上送信されることがある。ＳＩメッセージの各送信に対して、制御情報は、ＳＩメッセージに対するＳＩウィンドウ内で、物理ダウンリンク制御チャネル（ＰＤＣＣＨ）上で送られてもよく、ＳＩメッセージに対するデータは、制御情報により示されているような物理ダウンリンク共有チャネル（ＰＤＳＣＨ）上で送られてもよい。
【００１７】
ＳＩメッセージに対するＳＩウィンドウは、以下のような特性を有するように規定されていてもよい。
【００１８】
・ＳＩメッセージに対するインデックスｎと、ＳＩメッセージの周期（すなわち、ＳＩ反復サイクル）と、すべてのＳＩメッセージに共通するＳＩウィンドウサイズとに基づいて、ＳＩメッセージに対するＳＩウィンドウのポジションを決定することができる。
【００１９】
・単一のＳＩウィンドウサイズが、すべてのＳＩメッセージに対して使用される。
【００２０】
・すべてのＳＩメッセージに対するＳＩウィンドウは、時間的にオーバーラップしない。
【００２１】
上記で説明した特性は、ＵＥにおけるインプリメンテーションの複雑さを減少させるかもしれない。これらの特性はまた、ＵＥによる、特定のＳＩメッセージのターゲット受信を可能にする。特に、ＵＥは、他のＳＩメッセージに対するスケジューリング情報を知る必要なく、ＳＩメッセージに対するスケジューリング情報（インデックスｎおよび周期）のみに基づいて、特定のＳＩメッセージに対するＳＩウィンドウのポジションを決定することができる。
【００２２】
図３は、フォワードスペースのみを使用する、ＳＩメッセージの例示的な送信を示している。図３において示されている例では、表１において示されているパラメータによって５個のＳＩメッセージがスケジュールされている。各ＳＩメッセージに対するインデックスｎは、送信されることになるＳＩメッセージのリスト中のそのＳＩメッセージのポジションにより決定されるので、インデックスｎを持つＳＩメッセージは、リスト中のｎ番目のＳＩメッセージである。各ＳＩメッセージの周期は、ｍｓの単位または無線フレームの番号（Ｔ）で構成可能であり、ｍｓの単位または無線フレームの番号（Ｔ）で示すことができる。ＳＩウィンドウ長は、すべてのＳＩメッセージに対して共通であり、構成可能である。ＳＩウィンドウ長は、１、２、５、１０、１５、２０、および４０ｍｓを含んでいてもよい１組の可能性ある長さから選択することができる。
【表１】
2012508510.tif 000003
【００２３】
各ＳＩメッセージに対するＳＩウィンドウのポジションは、以下のように決定することができる。
【数１】
2012508510.tif 000004
【００２４】
および、
【数２】
2012508510.tif 000005
【００２５】
ここで、Ｔnは、１≦ｎ≦Ｎに対して、ＳＩメッセージｎ（ＳＩｎ）の周期であり、
ｘnは、（ｍｓの単位で）ＳＩメッセージｎに対するＳＩウィンドウオフセットであり、
ｗは、ＳＩウィンドウ長であり、
ＦＬＯＯＲは、引数より小さいまたは引数と等しい最大の整数を提供するフロア演算を示す。
【００２６】
表１において示されている例に対して、ＳＩメッセージ１（ＳＩ１）は、１のインデックスと、８０ｍｓの周期と、０ｍｓのＳＩウィンドウオフセットとを有している。ＳＩ１は、（ＳＦＮ ｍｏｄ ８）＝０である８無線フレームごとに、すなわち、無線フレーム０、８、１６、２４、３２等において始まるＳＩウィンドウ中で送信されてもよい。ＳＩメッセージ２（ＳＩ２）は、２のインデックスと、１６０ｍｓの周期と、２０ｍｓのＳＩウィンドウオフセットとを有している。ＳＩ２は、（ＳＦＮ ｍｏｄ １６）＝２である１６無線フレームごとに、すなわち、無線フレーム２、１８、３４等において始まるＳＩウィンドウ中で送信されてもよい。ＳＩメッセージ３（ＳＩ３）は、３のインデックスと、１６０ｍｓの周期と、４０ｍｓのＳＩウィンドウオフセットとを有している。ＳＩ３は、（ＳＦＮ ｍｏｄ １６）＝４である１６無線フレームごとに、すなわち、無線フレーム４、２０、３６等において始まるＳＩウィンドウ中で送信されてもよい。ＳＩメッセージ４（ＳＩ４）は、４のインデックスと、３２０ｍｓの周期と、６０ｍｓのＳＩウィンドウオフセットとを有している。ＳＩ４は、（ＳＦＮ ｍｏｄ ３２）＝６である３２無線フレームごとに、すなわち、無線フレーム６、３８等において始まるＳＩウィンドウ中で送信されてもよい。
【００２７】
ＳＩメッセージ５（ＳＩ５）は、５のインデックスと、１６０ｍｓの周期と、８０ｍｓのＳＩウィンドウオフセットとを有している。ＳＩ５は、（ＳＦＮ ｍｏｄ １６）＝８である１６無線フレームごとに、すなわち、無線フレーム８、２４等において始まるＳＩウィンドウ中で送信すべきである。しかしながら、ＳＩ５に対するＳＩウィンドウは、無線フレーム８、２４等において、ＳＩ１に対するＳＩウィンドウとオーバーラップするだろう。これは、上記で説明した第３の特性に違反するだろう。上記で説明した特性を維持すべき場合、ＳＩ５をスケジュールすることはできない。
【００２８】
方程式（１）および（２）を使用するスケジューリング設計に対して、スケジューリングリスト中の漸進的により後になるＳＩメッセージには、漸進的により大きくなるＳＩウィンドウオフセットが割り当てられる。したがって、漸進的により後になるＳＩメッセージに対するＳＩウィンドウは、基準時間の右側に漸進的により遠くに置かれる。すべてのインデックスｎに対して（ＳＦＮ ｍｏｄ Ｔn）＝０である無線フレームの始まりとして、基準時間が規定されてもよく、これは、すべてのＳＩメッセージが反復する最初の無線フレームの始まりであってもよい。
【００２９】
基準時間から、最短の周期を持つＳＩメッセージ用のＳＩウィンドウに対する、次の無線フレームの始まりまでの時間量として、フォワードスペースが規定されてもよい。図３において示されている例では、フォワードスペースは、０〜８０ｍｓであり、これは、８０ｍｓの最短のＳＩ周期に対応している。
【００３０】
方程式（１）および（２）を使用するスケジューリング設計に対して、ＳＩウィンドウは、漸進的により大きくなるインデックスｎに対して増加するので、ＳＩウィンドウは、フォワードスペース中にのみ置かれる。フォワードスペースは、図３において示されている例に対しては８０ｍｓである最短の周期を持つＳＩメッセージにより、制限される。スケジュールすることができるＳＩメッセージの数は、次のように示すことができる。
【数３】
2012508510.tif 000006
【００３１】
図３において示されている例では、最短のＳＩ周期が８０ｍｓであり、ＳＩウィンドウ長が２０ｍｓであることから、４個のＳＩメッセージをスケジュールすることができる。結果として、５番目のＳＩメッセージ（ＳＩ５）はスケジュールすることができない。
【００３２】
方程式（３）において示されているように、時間ドメインにおけるＳＩウィンドウ割り振りは、大きさが限定されるかもしれない。最短のＳＩ周期を増加させることにより、および／または、ＳＩウィンドウ長を減少させることにより、より多くのＳＩをスケジュールすることができる。しかしながら、最短のＳＩ周期を増加させることは、ＳＩメッセージを受信するのに必要とされる時間の量を拡大させるだろうが、これは、望ましくないかもしれない。ＳＩウィンドウ長を減少させることは、結果的にＳＩメッセージの送信に対する集中したリソースの使用になるが、これも、望ましくないかもしれない。
【００３３】
側面において、基準時間の後のフォワードスペースと基準時間より前のバックワードスペースとの双方を使用することにより、ＳＩメッセージをスケジュールしてもよい。これにより、上記で説明した所望の特性を維持しながら、より多くのＳＩメッセージをスケジュールすることが可能になる。フォワードスペースとバックワードスペースの双方を使用して、さまざまな方法で、ＳＩメッセージをスケジュールすることができる。
【００３４】
第１のスケジューリング設計では、スケジューリングリスト中のＮ個のＳＩメッセージをフォワードスペース中にまたはバックワードスペース中に交互にスケジュールすることができる。この設計に対して、各ＳＩメッセージに対するＳＩウィンドウのポジションは、以下のように決定することができる。
【数４】
2012508510.tif 000007
【００３５】
および、
【数５】
2012508510.tif 000008
【００３６】
ここで、ＣＥＩＬは、引数より大きいまたは引数と等しい最小の整数を提供するシーリング演算を示す。
【００３７】
方程式（５）において示されている設計では、−１（（n-1）mod 2）の項があることにより、奇数のインデックス（例えば、ｎ＝１、３、５等）を持つＳＩメッセージは、正のＳＩウィンドウオフセットを有し、偶数のインデックス（例えば、ｎ＝２、４、６等）を持つＳＩメッセージは、負のＳＩウィンドウオフセットを有する。−１（（n-1）mod 2）の項はまた、２＊（ｎ ｍｏｄ ２）−１に、または、他の何らかの均等な関数に置き換えることができる。ＣＥＩＬの項があることにより、漸進的により高くなるインデックスを持つＳＩメッセージは、基準時間から漸進的により大きくなるＳＩウィンドウを有している。方程式（４）は、正のＳＩウィンドウオフセットと負のＳＩウィンドウオフセットの双方から成る、方程式（１）の修正されたバージョンである。
【００３８】
図４は、第１のスケジューリング設計にしたがった、フォワードスペースとバックワードスペースの双方を使用する、ＳＩメッセージの例示的な送信を示している。図４において示されている例では、５個のＳＩメッセージＳＩ１ないしＳＩ５は、表１において示されているパラメータによってスケジュールされる。ＳＩメッセージ１は、０ｍｓのＳＩウィンドウオフセットを有し、（ＳＦＮ ｍｏｄ ８）＝０である８無線フレームごとに、すなわち、無線フレーム０、８、１６、２４、３２、．．．、１０１６において始まるＳＩウィンドウ中で送信されてもよい。ＳＩメッセージ２は、−２０ｍｓのＳＩウィンドウオフセットを有し、（ＳＦＮ ｍｏｄ １６）＝１４である１６無線フレームごとに、すなわち、無線フレーム１４、３０、．．．、１０２２において始まるＳＩウィンドウ中で送信されてもよい。ＳＩメッセージ３は、２０ｍｓのＳＩウィンドウオフセットを有し、（ＳＦＮ ｍｏｄ １６）＝２である１６無線フレームごとに、すなわち、無線フレーム２、１８、３４、．．．、１０１０において始まるＳＩウィンドウ中で送信されてもよい。ＳＩメッセージ４は、−４０ｍｓのＳＩウィンドウオフセットを有し、（ＳＦＮ ｍｏｄ ３２）＝２８である３２無線フレームごとに、すなわち、無線フレーム２８、６０、．．．、１０２０において始まるＳＩウィンドウ中で送信されてもよい。ＳＩメッセージ５は、４０ｍｓのＳＩウィンドウオフセットを有し、（ＳＦＮ ｍｏｄ １６）＝４である１６無線フレームごとに、すなわち、無線フレーム４、２０、３６、．．．、１０１２において始まるＳＩウィンドウ中で送信されてもよい。
【００３９】
方程式（４）および（５）を使用する第１のスケジューリング設計に対して、奇数のインデックスを持つＳＩメッセージは、正のＳＩウィンドウオフセットを有し、フォワードスペースにマッピングされる。偶数のインデックスを持つＳＩメッセージは、負のウィンドウオフセットを有し、バックワードスペースにマッピングされる。さらに、スケジュールリスト中の漸進的により後になるＳＩメッセージには、漸進的により大きくなるＳＩウィンドウオフセットが割り当てられる。したがって、漸進的により後になるＳＩメッセージに対するＳＩウィンドウは、基準時間から漸進的により遠くに置かれる。
【００４０】
図４において示されているように、基準時間から、最短の周期を持つＳＩメッセージ用のＳＩウィンドウに対する、次の無線フレームの終わりまでの時間量として、バックワードスペースが規定されてもよい。図４において示されている例では、フォワードスペースは、０〜８０ｍｓであり、バックワードスペースは、０〜−６０ｍｓである。図３において示されている設計と比較して、図４において示されている設計に対しては、バックワードスペース中に、さらに３つまでＳＩメッセージをスケジュールすることができる。
【００４１】
第１のスケジューリング設計では、フォワードスペースとバックワードスペースの間を行ったり来たりして切り替えることにより、ＳＩウィンドウにＳＩメッセージを割り振っている。単一の組の方程式（４）および（５）を使用して、そのＳＩメッセージのインデックスｎと周期とに基づいて、各ＳＩメッセージに対するＳＩウィンドウのポジションを決定することができる。第１のスケジューリング設計は、上記で説明した所望の特性を達成することができる。
【００４２】
第２のスケジューリング設計では、フォワードスペースとバックワードスペースとに対して異なるインデックスを使用して、フォワードスペース中におよびバックワードスペース中にＳＩメッセージをスケジュールしてもよい。フォワードスペース中にＮ個のＳＩメッセージをスケジュールしてもよく、Ｎ個のＳＩメッセージにはインデックスｎ＝１、．．．、Ｎが割り当てられていてもよく、ここで、Ｎは、方程式（３）において示されているＮmaxと等しいまたはＮmaxより小さい何らかの整数値であってもよい。インデックスｎを持つ各ＳＩメッセージに対する、フォワードスペース中のＳＩウィンドウのポジションは、方程式（１）および（２）において示されているように決定することができる。
【００４３】
バックワードスペース中にＭ個のＳＩメッセージがスケジュールしてもよく、Ｍ個のＳＩメッセージにはインデックスｍ＝１、．．．、Ｍが割り当てられていてもよく、ここで、Ｍは、バックワードスペースにおいてサポートされるＳＩメッセージの最大数であるＭmaxと等しいまたはＭmaxより小さい何らかの整数値であってもよい。インデックスｍを持つ各ＳＩメッセージに対する、バックワードスペース中のＳＩウィンドウのポジションは、以下のように決定することができる。
【数６】
2012508510.tif 000009
【００４４】
および、
【数７】
2012508510.tif 000010
【００４５】
ここで、Ｔmは、１≦ｍ≦Ｎに対して、インデックスｍを持つＳＩメッセージの周期であり、
ｘmは、（ｍｓの単位で）ＳＩメッセージｍに対するＳＩウィンドウオフセットである。
【００４６】
方程式（７）において示されている設計では、漸進的により大きくなるインデックスｍを持つＳＩメッセージは、負の方向に漸進的により大きくなるＳＩウィンドウオフセットを有する。したがって、漸進的により大きくなるインデックスｍを持つＳＩメッセージに対するＳＩウィンドウは、基準時間から負の方向に漸進的に遠ざかる。
【００４７】
図５は、第２のスケジューリング設計にしたがった、フォワードスペースとバックワードスペースの双方を使用する、ＳＩメッセージの例示的な送信を示している。図５において示されている例では、６個のＳＩメッセージＳＩ１ないしＳＩ６がスケジュールされている。最初の５個のＳＩメッセージＳＩ１ないしＳＩ５は、表１において示されているパラメータによってスケジュールされる。６番目のＳＩメッセージＳＩ６は、ＳＩ５と同じパラメータによってスケジュールされる。
【００４８】
ＳＩメッセージＳＩ１ないしＳＩ４には、ｎ＝１ないし４のインデックスがそれぞれ割り当てられており、フォワードスペース中にスケジュールされる。ＳＢ１は、０ｍｓのＳＩウィンドウオフセットを有し、（ＳＦＮ ｍｏｄ ８）＝０である８無線フレームごとに、すなわち、無線フレーム０、８、１６、２４、３２、．．．、１０１６において始まるＳＩウィンドウ中で送信されてもよい。ＳＢ２は、２０ｍｓのＳＩウィンドウオフセットを有し、（ＳＦＮ ｍｏｄ １６）＝２である１６無線フレームごとに、すなわち、無線フレーム２、１８、３４、．．．、１０１０において始まるＳＩウィンドウ中で送信されてもよい。ＳＢ３は、４０ｍｓのＳＩウィンドウオフセットを有し、（ＳＦＮ ｍｏｄ １６）＝４である１６無線フレームごとに、すなわち、無線フレーム４、２０、３６、．．．、１０１２において始まるＳＩウィンドウ中で送信されてもよい。ＳＩ４は、６０ｍｓのＳＩウィンドウオフセットを有し、（ＳＦＮ ｍｏｄ ３２）＝６である３２無線フレームごとに、すなわち、無線フレーム６、３８、．．．、９９８において始まるＳＩウィンドウ中で送信されてもよい。
【００４９】
ＳＩメッセージＳＩ５およびＳＩ６には、ｍ＝１および２のインデックスがそれぞれ割り当てられており、バックワードスペース中にスケジュールされる。ＳＩ５は、−２０ｍｓのＳＩウィンドウオフセットを有し、（ＳＦＮ ｍｏｄ １６）＝１４である１６無線フレームごとに、すなわち、無線フレーム１４、３０、．．．、１０２２において始まるＳＩウィンドウ中で送信されてもよい。ＳＩ６は、−４０ｍｓのＳＩウィンドウオフセットを有し、（ＳＦＮ ｍｏｄ １６）＝１２である１６無線フレームごとに、すなわち、無線フレーム１２、２８、．．．、１０２０において始まるＳＩウィンドウ中で送信されてもよい。
【００５０】
第２のスケジューリング設計に対して、方程式（１）および（２）を使用して、図３において示されているのと同じ方法で、ｎ＝１、．．．、Ｎのインデックスを持つＮ個のＳＩメッセージをスケジュールしてもよい。フォワードスペースにおいてのみＳＩメッセージの受信をサポートする“レガシー”ＵＥにより、これらのＮ個のＳＩメッセージを受信することができる。レガシーＵＥは、ＬＴＥリリース８をサポートするＵＥであってもよい。したがって、第２のスケジューリング設計は、方程式（１）および（２）を使用する、図３において示されているスケジューリング設計と下位互換性がある。
【００５１】
第２のスケジューリング設計に対して、方程式（６）および（７）により、ｍ＝１、．．．、Ｍのインデックスを持つＭ個のＳＩメッセージを、バックワードスペース中にスケジュールしてもよい。フォワードスペースとバックワードスペースとの双方においてＳＩメッセージの受信をサポートする“新しい”ＵＥにより、これらのＭ個のＳＩメッセージを受信することができる。新しいＵＥは、ＬＴＥリリース９またはそれ以降のものをサポートするＵＥであってもよく、ＬＴＥリリース８、かつ、バックワードスペースにおいてＳＩメッセージを受信するための機能性をサポートするＵＥ等であってもよい。これらのＭ個のＳＩメッセージは、“新しい”ＳＩＢを運ぶことができ、“新しい”ＳＩＢは、バックワードスペース中で送ることができ、新しいＵＥにより受信することができるＳＩＢであってもよく、リリース９またはそれ以降のものにおいて規定されているＳＩＢ等であってもよい。
【００５２】
ＳＩメッセージに対するインデックスｎおよびｍは、さまざまな方法でＵＥに伝えることができる。１つの設計では、インデックスは、暗黙的に伝えられてもよい。例えば、スケジューリングリスト中の最初のＮmax個のＳＩメッセージには、ｎ＝１、．．．、Ｎmaxのインデックスが割り当てられてもよく、スケジューリングリスト中の後続するＳＩメッセージには、ｍ＝１、．．．、Ｍのインデックスが割り当てられてもよい。別の設計では、インデックスは、明示的に伝えられてもよい。例えば、１つのスケジューリングリストは、ｎ＝１、．．．、Ｎのインデックスを持つＮ個のＳＩメッセージを含んでいることがあり、別のスケジューリングリストは、ｍ＝１、．．．、Ｍのインデックスを持つＭ個のＳＩメッセージを含んでいることがある。ＳＩＢ１は、インデックスｎを持つＳＩメッセージとインデックスｍを持つＳＩメッセージとに対して、別々のスケジューリング情報コンテナ（例えば、別々のスケジューリングリスト）を含んでいてもよい。別の例として、スケジューリングリストは、各ＳＩメッセージに対する付加的なビットを含んでいてもよい。このビットは、インデックスｎを示す第１の値（例えば、１）にセットされてもよく、または、インデックスｍを示す第２の値（例えば、０）にセットされてもよい。双方の設計に対して、インデックスｎを持つＳＩメッセージとインデックスｍを持つＳＩメッセージとに対するＳＩウィンドウのポジションは、異なる方法で（例えば、異なる方程式を使用して）計算することができる。
【００５３】
第１および第２のスケジューリング設計は、フォワードスペースとバックワードスペースとの双方においてＳＩメッセージをスケジューリングするための２つの例示的なスキームである。スケジューリングは、他の方法で実行してもよい。一般に、何らかのマッピングスキームを使用して、フォワードスペース中におよびバックワードスペース中にＳＩメッセージをスケジュールしてもよく、２つの例示的なスキームが、図４および図５において示されている。ＳＩメッセージに対するＳＩウィンドウはまた、１つ以上の組の方程式を使用して、例えば、図４における１組の方程式または図５における２組の方程式を使用して規定してもよい。
【００５４】
フォワードスペースとバックワードスペースとの双方においてＳＩメッセージをスケジューリングするためのここで説明する技法は、ある利点を提供するかもしれない。第１に、技法は、より多くのＳＩメッセージのスケジューリングをサポートすることができる。新しく導入される特徴は、より多くのＳＩメッセージ中で送られる必要がある付加的なＳＩＢを必要とすることがあることから、これは、ＬＴＥリリース９およびそれ以降のものに対して望ましいかもしれない。第２に、技法は、ＵＥインプリメンテーションを簡略化し、システム情報の効率的な受信を可能にする、上記で説明した所望の特性を維持することができる。
【００５５】
図６は、ワイヤレス通信システム中でシステム情報を送るためのプロセス６００の設計を示している。プロセス６００は、（下記で説明するように）基地局／ｅＮＢにより、または、他の何らかのエンティティにより、実行することができる。ｅＮＢは、少なくとも１つのＳＩメッセージを、基準時間の後のフォワードスペース中の少なくとも１つのＳＩウィンドウに割り当ててもよい（ブロック６１２）。ｅＮＢは、少なくとも１つの付加的なＳＩメッセージを、基準時間より前のバックワードスペース中の少なくとも１つの付加的なＳＩウィンドウに割り当ててもよい（ブロック６１４）。例えば、図４および図５において示されているように、基準時間は、すべてのＳＩメッセージが反復する無線フレームの始まりであってもよい。
【００５６】
ｅＮＢは、少なくとも１つのＳＩメッセージ中で第１の組のＳＩＢを送ってもよく（ブロック６１６）、少なくとも１つの付加的なＳＩメッセージ中で第２の組のＳＩＢを送ってもよい（ブロック６１８）。１つの設計では、第１の組のＳＩＢおよび第２の組のＳＩＢは、すべてのＵＥにより受信可能であってもよい。別の設計では、第１の組のＳＩＢは、すべてのＵＥにより受信可能であってもよく、第２の組のＳＩＢは、フォワードスペースとバックワードスペースとの双方においてＳＩメッセージを受信することが可能なＵＥにより受信可能であってもよい。ｅＮＢは、ＳＩメッセージのインデックスと、ＳＩメッセージの周期と、すべてのＳＩメッセージに共通するＳＩウィンドウ長とに基づいて、各ＳＩメッセージに対するＳＩウィンドウのポジションを決定することができる（ブロック６２０）。ｅＮＢは、そのＳＩメッセージに対するＳＩウィンドウ内で、各ＳＩメッセージを送ってもよい（ブロック６２２）。
【００５７】
図４において示されている１つのスケジューリング設計では、ｅＮＢは、送るためのＳＩメッセージのリストを決定することができる。ｅＮＢは、リスト中の１つおきのＳＩメッセージを、フォワードスペース中のＳＩウィンドウに割り当ててもよく、リスト中の残りの各ＳＩメッセージを、バックワードスペース中のＳＩウィンドウに割り当ててもよい。ｅＮＢは、方程式（４）および（５）において示されているように、あるいは、他の何らかの組の方程式に基づいて、各ＳＩメッセージに対するＳＩウィンドウのポジションを決定することができる。
【００５８】
図５において示されている別のスケジューリング設計では、ｅＮＢは、フォワードスペース中で、あるＳＩメッセージを送り、バックワードスペース中で、他のＳＩメッセージを送ることとを選んでもよい。１つの設計では、ｅＮＢは、例えば、フォワードスペースとバックワードスペースとに対するＳＩメッセージの異なるリストを使用して、フォワードスペースまたはバックワードスペースを示すための各ＳＩメッセージに対するビットを使用して等、フォワードスペースまたはバックワードスペースのいずれにおいて各ＳＩメッセージを送るかを明示的に示してもよい。別の設計では、ｅＮＢは、フォワードスペースまたはバックワードスペースのいずれにおいて各ＳＩメッセージを送るかを暗黙的に示してもよい。例えば、ｅＮＢは、送るためのＳＩメッセージのリストを決定することができる。リストは、バックワードスペース中の少なくとも１つの付加的なＳＩメッセージがその後に続く、フォワードスペース中の少なくとも１つのＳＩメッセージを含んでいてもよい。明示的なケースと暗黙的なケースとの双方に対して、ｅＮＢは、第１のインデックスｎを持つ少なくとも１つのＳＩメッセージを、フォワードスペースに対して割り当ててもよく、第２のインデックスｍを持つ少なくとも１つの付加的なＳＩメッセージを、バックワードスペースに対して割り当ててもよい。ｅＮＢは、第１の組の方程式、例えば、方程式（１）および（２）に基づいて、フォワードスペース中の少なくとも１つのＳＩウィンドウのポジションを決定してもよい。ｅＮＢは、第２の組の方程式、例えば、方程式（６）および（７）に基づいて、バックワードスペース中の少なくとも１つの付加的なＳＩウィンドウのポジションを決定してもよい。
【００５９】
図７は、ワイヤレス通信システム中でシステム情報を送るための装置７００の設計を示している。装置７００は、少なくとも１つのＳＩメッセージを、基準時間の後のフォワードスペース中の少なくとも１つのＳＩウィンドウに割り当てるモジュール７１２と、少なくとも１つの付加的なＳＩメッセージを、基準時間より前のバックワードスペース中の少なくとも１つの付加的なＳＩウィンドウに割り当てるモジュール７１４と、少なくとも１つのＳＩメッセージ中で第１の組のＳＩＢを送るモジュール７１６と、少なくとも１つの付加的なＳＩメッセージ中で第２の組のＳＩＢを送るモジュール７１８と、ＳＩメッセージのインデックスと、ＳＩメッセージの周期と、すべてのＳＩメッセージに共通するＳＩウィンドウ長とに基づいて、各ＳＩメッセージに対するＳＩウィンドウのポジションを決定するモジュール７２０と、ＳＩメッセージに対するＳＩウィンドウ内で、各ＳＩメッセージを送るモジュール７２２とを備えている。
【００６０】
図８は、ワイヤレス通信システム中でシステム情報を受信するためのプロセス８００の設計を示している。プロセス８００は、（下記で説明するように）ＵＥにより、または、他の何らかのエンティティにより、実行することができる。ＵＥは、基準時間の後に続くフォワードスペース中の少なくとも１つのＳＩウィンドウに割り当てられている、少なくとも１つのＳＩメッセージを識別する（ブロック８１２）。ＵＥはまた、基準時間より前のバックワードスペース中の少なくとも１つの付加的なＳＩウィンドウに割り当てられている、少なくとも１つの付加的なＳＩメッセージを識別する（ブロック８１４）。ＵＥは、ＳＩメッセージのインデックスと、ＳＩメッセージの周期と、すべてのＳＩメッセージに共通するＳＩウィンドウ長とに基づいて、各ＳＩメッセージに対するＳＩウィンドウのポジションを決定することができる（ブロック８１６）。ＵＥは、その後、そのＳＩメッセージに対するＳＩウィンドウ内で、各ＳＩメッセージを受信してもよい（ブロック８１８）。ＵＥは、少なくとも１つのＳＩメッセージから第１の組のＳＩＢを取得してもよく（ブロック８２０）、少なくとも１つの付加的なＳＩメッセージから第２の組のＳＩＢを取得してもよい（ブロック８２２）。１つの設計では、第１の組のＳＩＢおよび第２の組のＳＩＢは、すべてのＵＥに向けられていてもよい。別の設計では、第１の組のＳＩＢは、すべてのＵＥに向けられていてもよく、第２の組のＳＩＢは、フォワードスペースとバックワードスペースとの双方においてＳＩメッセージを受信することが可能なＵＥに向けられていてもよい。
【００６１】
１つのスケジューリング設計では、ＵＥは、送られるＳＩメッセージのリストを受信してもよい。リスト中の１つおきのＳＩメッセージが、フォワードスペース中のＳＩウィンドウに割り当てられ、リスト中の残りの各ＳＩメッセージが、バックワードスペース中のＳＩウィンドウに割り当てられていてもよい。別のスケジューリング設計では、ＵＥは、フォワードスペースまたはバックワードスペースのいずれにおいて各ＳＩメッセージが送られるかの、明示的な表示あるいは暗黙的な表示を受信してもよい。双方のスケジューリング設計に対して、ＵＥは、単一の組の方程式、例えば、方程式（４）および（５）に基づいて、すべてのＳＩメッセージに対するＳＩウィンドウのポジションを決定してもよい。代替的に、ＵＥは、第１の組の方程式、例えば、方程式（１）および（２）に基づいて、フォワードスペース中の少なくとも１つのＳＩウィンドウのポジションを決定してもよく、第２の組の方程式、例えば、方程式（６）および（７）に基づいて、バックワードスペース中の少なくとも１つの付加的なＳＩウィンドウのポジションを決定してもよい。
【００６２】
図９は、ワイヤレス通信システム中でシステム情報を受信するための装置９００の設計を示している。装置９００は、基準時間の後に続くフォワードスペース中の少なくとも１つのＳＩウィンドウに割り当てられている、少なくとも１つのＳＩメッセージを識別するモジュール９１２と、基準時間より前のバックワードスペース中の少なくとも１つの付加的なＳＩウィンドウに割り当てられている、少なくとも１つの付加的なＳＩメッセージを識別するモジュール９１４と、ＳＩメッセージのインデックスと、ＳＩメッセージの周期と、すべてのＳＩメッセージに共通するＳＩウィンドウ長とに基づいて、各ＳＩメッセージに対するＳＩウィンドウのポジションを決定するモジュール９１６と、ＳＩメッセージに対するＳＩウィンドウ内で、各ＳＩメッセージを受信するモジュール９１８と、少なくとも１つのＳＩメッセージから第１の組のＳＩＢを取得するモジュール９２０と、少なくとも１つの付加的なＳＩメッセージから第２の組のＳＩＢを取得するモジュール９２２とを備えている。
【００６３】
図１０は、システム情報を交換するためのプロセス１０００の設計を示している。第１の組の方程式に基づいて、少なくとも１つのＳＩメッセージに対する少なくとも１つのＳＩウィンドウのポジションを決定してもよい（ブロック１０１２）。第２の組の方程式に基づいて、少なくとも１つの付加的なＳＩメッセージに対する少なくとも１つの付加的なＳＩウィンドウのポジションを決定してもよい（ブロック１０１４）。各ＳＩメッセージに対するＳＩウィンドウのポジションは、ＳＩメッセージのインデックスと、ＳＩメッセージの周期と、すべてのＳＩメッセージに共通するＳＩウィンドウ長とに基づいて、決定することができる。一般に、各ＳＩメッセージに対するＳＩウィンドウは、どこに位置していてもよい。１つの設計では、少なくとも１つのＳＩウィンドウは、基準時間の後に続くフォワードスペース中に位置していてもよく、少なくとも１つの付加的なＳＩウィンドウは、基準時間より前のバックワードスペース中に位置していてもよい。
【００６４】
そのＳＩメッセージに対するＳＩウィンドウ内で、各ＳＩメッセージを交換してもよい（例えば、送ってもよい、または、受信してもよい）（ブロック１０１６）。１つの設計では、プロセス１０００は、そのＳＩメッセージに対するＳＩウィンドウ内で、各ＳＩメッセージを送ることがある基地局／ｅＮＢにより、実行することができる。別の設計では、プロセス１０００は、そのＳＩメッセージに対するＳＩウィンドウ内で、各ＳＩメッセージを受信することがあるＵＥにより、実行することができる。
【００６５】
図１１は、システム情報を交換するための装置１１００の設計を示している。装置１１００は、第１の組の方程式に基づいて、少なくとも１つのＳＩメッセージに対する少なくとも１つのＳＩウィンドウのポジションを決定するモジュール１１１２と、第２の組の方程式に基づいて、少なくとも１つの付加的なＳＩメッセージに対する少なくとも１つの付加的なＳＩウィンドウのポジションを決定するモジュール１１１４と、そのＳＩメッセージに対するＳＩウィンドウ内で、各ＳＩメッセージを交換するモジュール１１１６とを備えている。
【００６６】
図７、図９、および図１１中のモジュールは、プロセッサ、電子デバイス、ハードウェアデバイス、電子コンポーネント、論理回路、メモリ、ソフトウェアコード、ファームウェアコード等、または、これらの何らかの組み合わせを含んでいてもよい。
【００６７】
図１２は、図１中のｅＮＢのうちの１つおよびＵＥのうちの１つであってもよい、基地局／ｅＮＢ１１０およびＵＥ１２０の設計のブロックダイヤグラムを示している。この設計では、ｅＮＢ１１０には、Ｔ本のアンテナ１２３４ａないし１２３４ｔが装備されており、ＵＥには、Ｒ本のアンテナ１２５２ａないし１２５２ｒが装備されており、ここで、一般に、Ｔ≧１およびＲ≧１である。
【００６８】
ｅＮＢ１１０において、送信プロセッサ１２２０は、データソース１２１２から、１つ以上のＵＥに対するデータを受け取り、そのＵＥに対して選択される１つ以上の伝送フォーマットに基づいて、各ＵＥに対するデータを処理し（例えば、エンコードし、インターリーブし、および変調し）、すべてのＵＥに対するデータシンボルを提供してもよい。送信プロセッサ１２２０はまた、システム情報（例えば、ＭＩＢ、ＳＩＢ、ＳＩメッセージ等）を処理し、制御装置／プロセッサ１２４０からの情報を制御し、オーバーヘッドシンボルを提供してもよい。送信（ＴＸ）複数入力複数出力（ＭＩＭＯ）プロセッサ１２３０は、データシンボル、オーバーヘッドシンボル、および／または基準シンボルを多重化してもよい。適用可能である場合には、ＴＸ ＭＩＭＯプロセッサ１２３０は、多重化したシンボル上で空間処理（例えば、プレコーディング）を実行してもよく、Ｔ個の変調器（ＭＯＤ）１２３２ａないし１２３２ｔにＴ個の出力シンボルストリームを提供してもよい。各変調器１２３２は、（例えば、ＯＦＤＭに対する）それぞれの出力シンボルストリームを処理して、出力サンプルストリームを取得してもよい。各変調器１２３２は、出力サンプルストリームをさらに処理し（アナログにコンバートし、増幅し、フィルタリングし、およびアップコンバートし）、ダウンリンク信号を取得してもよい。Ｔ本のアンテナ１２３４ａないし１２３４ｔを介して、変調器１２３２ａないし１２３２ｔからのＴ個のダウンリンク信号をそれぞれ送信してもよい。
【００６９】
ＵＥ１２０において、アンテナ１２５２ａないし１２５２ｒは、ｅＮＢ１１０からダウンリンク信号を受信してもよく、受信した信号を復調器（ＤＥＭＯＤ）１２５４ａないし１２５４ｒにそれぞれ提供してもよい。各復調器１２５４は、それぞれの受信信号を調整し（例えば、フィルタリングし、増幅し、ダウンコンバートし、およびデジタル化し）、受信したサンプルを取得してもよい。各復調器１２５４は、（例えば、ＯＦＤＭに対する）受信サンプルをさらに処理して、受信したシンボルを取得してもよい。ＭＩＭＯ検出器１２５６は、すべてのＲ個の復調器１２５４ａないし１２５４ｒから受信シンボルを取得し、適用可能である場合には、受信シンボル上でＭＩＭＯ検出を実行し、検出したシンボルを提供してもよい。受信プロセッサ１２５８は、検出したシンボルを処理し（例えば、復調し、デインターリーブし、およびデコードし）、ＵＥ１２０に対するデコードしたデータをデータシンク１２６０に提供し、デコードしたシステムおよび制御情報を制御装置／プロセッサ１２８０に提供してもよい。
【００７０】
アップリンク上では、ＵＥ１２０において、データソース１２６２からのデータと、制御装置／プロセッサ１２８０からの制御情報とを、送信プロセッサ１２６４により処理し、適用可能である場合には、ＴＸ ＭＩＭＯプロセッサ１２６６によりプレコーディングし、変調器１２５４ａないし１２５４ｒにより調整して、ｅＮＢ１１０に送信してもよい。ｅＮＢ１１０において、ＵＥ１２０からのアップリンク信号をアンテナ１２３４により受信し、復調器１２３２により調整し、適用可能である場合には、ＭＩＭＯ検出器１２３６により処理して、ＵＥ１２０により送信されたデータおよび制御情報を取得するために、受信プロセッサ１２３８によりさらに処理する。
【００７１】
制御装置／プロセッサ１２４０と制御装置／プロセッサ１２８０は、ｅＮＢ１１０における動作とＵＥ１２０における動作をそれぞれ指示してもよい。プロセッサ１２４０ならびに／あるいはｅＮＢ１１０における他のプロセッサおよびモジュールは、図６中のプロセス６００や、図１０中のプロセス１０００や、ならびに／あるいは、ここで説明した技法のための他のプロセスを実行または指示してもよい。プロセッサ１２８０ならびに／あるいはＵＥ１２０における他のプロセッサおよびモジュールは、図８中のプロセス８００や、図１０中のプロセス１０００や、ならびに／あるいは、ここで説明した技法のための他のプロセスを実行または指示してもよい。メモリ１２４２とメモリ１２８２は、ｅＮＢ１１０とＵＥ１２０とに対するデータおよびプログラムコードをそれぞれ記憶してもよい。スケジューラ１２４４は、ダウンリンク送信および／またはアップリンク送信に対して、ＵＥをスケジュールしてもよく、スケジュールしたＵＥに対してリソースの割り当てを提供してもよい。
【００７２】
当業者は、さまざまな異なる技術および技法の任意のものを使用して、情報および信号を表してもよいことを理解するだろう。例えば、上記の説明を通して参照された、データ、命令、コマンド、情報、信号、ビット、シンボルおよびチップは、電圧、電流、電磁波、磁界または磁気の粒子、光学界または光の粒子、あるいはこれらの何らかの組み合わせにより、表してもよい。
【００７３】
ここでの開示に関連して説明した、さまざまな例示的な論理ブロック、モジュール、回路およびアルゴリズムステップが、電子ハードウェア、コンピュータソフトウェア、あるいは双方の組み合わせたものとして実現されてもよいことを当業者はさらに正しく認識するだろう。ハードウェアおよびソフトウェアのこの交換可能性を明確に図示するために、さまざまな例示的なコンポーネント、ブロック、モジュール、回路およびステップを一般的にこれらの機能性に関して上記で説明した。このような機能性がハードウェアあるいはソフトウェアとして実現されるか否かは、特定の応用および全体的なシステムに課せられた設計の制約に依存する。当業者は、それぞれの特定の応用に対して方法を変化させて、説明した機能性を実現してもよいが、このようなインプリメンテーション決定は、本開示の範囲からの逸脱を生じさせるものとして解釈すべきではない。
【００７４】
ここでの開示に関連して説明した、さまざまな例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、あるいは、ここで説明した機能を実施するために設計されたこれらの何らかの組み合わせで、実現されるか、あるいは、実行されてもよい。汎用プロセッサはマイクロプロセッサであってもよいが、代替実施形態では、プロセッサは、何らかの従来のプロセッサ、制御装置、マイクロ制御装置、あるいは、状態機械であってもよい。プロセッサはまた、コンピューティングデバイスの組み合わせとして、例えば、ＤＳＰとマイクロプロセッサの組み合わせ、複数のマイクロプロセッサ、ＤＳＰコアを備えた１つ以上のマイクロプロセッサ、あるいは、このようなコンフィギュレーションの他の何らかのものとして実現してもよい。
【００７５】
ここでの開示に関連して説明した方法またはアルゴリズムのステップは、直接、ハードウェアで、プロセッサにより実行されるソフトウェアモジュールで、あるいは、２つの組み合わせで具現化してもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーブバルディスク、ＣＤ−ＲＯＭ、あるいは、技術的に知られている他の何らかの形態の記憶媒体の中に存在していてもよい。例示的な記憶媒体は、プロセッサが記憶媒体から情報を読み取り、記憶媒体に情報を書き込むことができるようにプロセッサに結合される。代替実施形態では、記憶媒体はプロセッサと一体化されていてもよい。プロセッサおよび記憶媒体は、ＡＳＩＣ中に存在してもよい。ＡＳＩＣはユーザ端末中に存在してもよい。代替実施形態では、プロセッサおよび記憶媒体は、ユーザ端末中のディスクリートコンポーネントとして存在していてもよい。
【００７６】
１つ以上の例示的な設計において、説明した機能は、ハードウェアで、ソフトウェアで、ファームウェアで、または、これらのものを組み合わせた任意のもので実現してもよい。ソフトウェアで実現した場合、機能は、１つ以上の命令またはコードとして、コンピュータ読取可能媒体上に記憶されてもよく、あるいは、１つ以上の命令またはコードとして、コンピュータ読取可能媒体上に送信されてもよい。コンピュータ読取可能媒体は、１つの場所から別の場所へのコンピュータプログラムの転送を促進する何らかの媒体を含むコンピュータ記憶媒体および通信媒体の双方を含む。記憶媒体は、汎用または特殊目的のコンピュータによりアクセスできる何らかの利用可能な媒体であってもよい。例として、これらに限定されないが、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、汎用または特殊目的のコンピュータあるいは汎用または特殊目的のプロセッサによりアクセスでき、命令またはデータ構造の形態で所望のプログラムコード手段を運ぶまたは記憶するために使用できる他の何らかの媒体を含んでいてもよい。また、あらゆる接続は、コンピュータ読取可能媒体と適切に呼ばれる。例えば、ソフトウェアが、同軸ケーブルや、光ファイバケーブルや、撚り対や、デジタル加入者線（ＤＳＬ）や、あるいは、赤外線、無線、およびマイクロ波のようなワイヤレス技術を使用して、ウェブサイト、サーバ、または、他の遠隔ソースから送信される場合には、同軸ケーブル、光ファイバケーブル、撚り対、ＤＳＬ、あるいは、赤外線、無線、およびマイクロ波のようなワイヤレス技術は、媒体の規定に含まれる。ここで使用するようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイディスク（登録商標）を含むが、一般的に、ディスク（ｄｉｓｋ）は、データを磁気的に再生する一方で、ディスク（ｄｉｓｃ）はデータをレーザによって光学的に再生する。先のものを組み合わせたものもまた、コンピュータ読取可能媒体の範囲内に含められるべきである。
【００７７】
開示のこれまでの記述は、当業者が本開示を製作または使用できるように提供した。本開示に対するさまざま改良は当業者に容易に明らかとなり、ここに規定された一般的な原理は、本開示の精神または範囲を逸脱することなく、他バリエーションに適用してもよい。したがって、本開示はここで説明した例および設計に限定されることを意図しているものではなく、ここで開示している原理および新しい特徴と一致した最も広い範囲に一致させるべきである。
【図１】
2012508510.tif 000017
【図２】
2012508510.tif 000018
【図３】
2012508510.tif 000019
【図４】
2012508510.tif 000020
【図５】
2012508510.tif 000021
【図６】
2012508510.tif 000022
【図７】
2012508510.tif 000023
【図８】
2012508510.tif 000024
【図９】
2012508510.tif 000025
【図１０】
2012508510.tif 000026
【図１１】
2012508510.tif 000027
【図１２】
2012508510.tif 000028
【手続補正書】
【提出日】平成23年10月20日(2011.10.20)
【手続補正１】
【補正対象書類名】特許請求の範囲
【補正対象項目名】全文
【補正方法】変更
【補正の内容】
【特許請求の範囲】
【請求項１】
システム情報を送る方法において、
少なくとも１つのシステム情報（ＳＩ）メッセージを、基準時間の後のフォワードスペース中の少なくとも１つのＳＩウィンドウに割り当てることと、
少なくとも１つの付加的なＳＩメッセージを、前記基準時間より前のバックワードスペース中の少なくとも１つの付加的なＳＩウィンドウに割り当てることと、
前記ＳＩメッセージに対するＳＩウィンドウ内で、各ＳＩメッセージを送ることとを含む方法。
【請求項２】
すべてのＳＩメッセージが反復する無線フレームに基づいて、前記基準時間を決定することをさらに含む請求項１記載の方法。
【請求項３】
前記ＳＩメッセージのインデックスと、前記ＳＩメッセージの周期と、すべてのＳＩメッセージに共通するＳＩウィンドウ長とに基づいて、各ＳＩメッセージに対する前記ＳＩウィンドウのポジションを決定することをさらに含む請求項１記載の方法。
【請求項４】
送るためのＳＩメッセージのリストを決定することをさらに含み、
前記リスト中の１つおきのＳＩメッセージが、前記フォワードスペース中のＳＩウィンドウに割り当てられ、前記リスト中の残りの各ＳＩメッセージが、前記バックワードスペース中のＳＩウィンドウに割り当てられる請求項１記載の方法。
【請求項５】
方程式： 
【数１】
2012508510.tif 000029
および、
【数２】
2012508510.tif 000030
にしたがって、各ＳＩメッセージに対する前記ＳＩウィンドウのポジションを決定することをさらに含み、
ｎはＳＩメッセージのインデックスであり、ＴnはＳＩメッセージｎの周期であり、ｘnはＳＩメッセージｎに対するＳＩウィンドウオフセットであり、ｗはＳＩウィンドウ長であり、ＳＦＮはシステムフレーム番号を示し、ＦＬＯＯＲはフロア演算を示し、ＣＥＩＬはシーリング演算を示し、“ｍｏｄ”はモジュロ演算を示している請求項１記載の方法。
【請求項６】
前記少なくとも１つのＳＩメッセージ中で第１の組のシステム情報ブロック（ＳＩＢ）を送ることと、
前記少なくとも１つの付加的なＳＩメッセージ中で第２の組のＳＩＢを送ることとをさらに含み、
前記第１の組のＳＩＢは、すべてのユーザ機器（ＵＥ）により受信可能であり、
前記第２の組のＳＩＢは、前記フォワードスペースと前記バックワードスペースとの双方においてＳＩメッセージを受信することが可能なＵＥにより受信可能である請求項１記載の方法。
【請求項７】
送るためのＳＩメッセージのリストを決定することをさらに含み、前記リストは、前記少なくとも１つの付加的なＳＩメッセージがその後に続く、前記少なくとも１つのＳＩメッセージを含む請求項１記載の方法。
【請求項８】
第１のインデックスｎを持つ前記少なくとも１つのＳＩメッセージを、前記フォワードスペースに対して割り当てることと、
第２のインデックスｍを持つ前記少なくとも１つの付加的なＳＩメッセージを、前記バックワードスペースに対して割り当てることとをさらに含む請求項１記載の方法。
【請求項９】
第１の組の方程式に基づいて、前記フォワードスペース中の前記少なくとも１つのＳＩウィンドウのポジションを決定することと、
第２の組の方程式に基づいて、前記バックワードスペース中の前記少なくとも１つの付加的なＳＩウィンドウのポジションを決定することとをさらに含む請求項１記載の方法。
【請求項１０】
方程式：
【数３】
2012508510.tif 000031
および、
【数４】
2012508510.tif 000032
にしたがって、前記少なくとも１つのＳＩメッセージのそれぞれに対するＳＩウィンドウのポジションを決定することをさらに含み、
ｎは前記少なくとも１つのＳＩメッセージの中のＳＩメッセージのインデックスであり、ＴnはＳＩメッセージｎの周期であり、ｘnはＳＩメッセージｎに対するＳＩウィンドウオフセットであり、ｗはＳＩウィンドウ長であり、ＳＦＮはシステムフレーム番号を示し、ＦＬＯＯＲはフロア演算を示し、“ｍｏｄ”はモジュロ演算を示している請求項１記載の方法。
【請求項１１】
方程式：
【数５】
2012508510.tif 000033
および、
【数６】
2012508510.tif 000034
にしたがって、前記少なくとも１つの付加的なＳＩメッセージのそれぞれに対するＳＩウィンドウのポジションを決定することをさらに含み、
ｍは前記少なくとも１つの付加的なＳＩメッセージの中のＳＩメッセージのインデックスであり、ＴmはＳＩメッセージｍの周期であり、ｘmはＳＩメッセージｍに対するＳＩウィンドウオフセットであり、ｗはＳＩウィンドウ長であり、ＳＦＮはシステムフレーム番号を示し、ＦＬＯＯＲはフロア演算を示し、“ｍｏｄ”はモジュロ演算を示している請求項１記載の方法。
【請求項１２】
ワイヤレス通信のための装置において、
少なくとも１つのシステム情報（ＳＩ）メッセージを、基準時間の後のフォワードスペース中の少なくとも１つのＳＩウィンドウに割り当てる手段と、
少なくとも１つの付加的なＳＩメッセージを、前記基準時間より前のバックワードスペース中の少なくとも１つの付加的なＳＩウィンドウに割り当てる手段と、
前記ＳＩメッセージに対するＳＩウィンドウ内で、各ＳＩメッセージを送る手段とを具備する装置。
【請求項１３】
前記ＳＩメッセージのインデックスと、前記ＳＩメッセージの周期と、すべてのＳＩメッセージに共通するＳＩウィンドウ長とに基づいて、各ＳＩメッセージに対する前記ＳＩウィンドウのポジションを決定する手段をさらに具備する請求項１２記載の装置。
【請求項１４】
送るためのＳＩメッセージのリストを決定する手段をさらに具備し、
前記リスト中の１つおきのＳＩメッセージが、前記フォワードスペース中のＳＩウィンドウに割り当てられ、前記リスト中の残りの各ＳＩメッセージが、前記バックワードスペース中のＳＩウィンドウに割り当てられる請求項１２記載の装置。
【請求項１５】
前記少なくとも１つのＳＩメッセージ中で第１の組のシステム情報ブロック（ＳＩＢ）を送る手段と、
前記少なくとも１つの付加的なＳＩメッセージ中で第２の組のＳＩＢを送る手段とをさらに具備し、
前記第１の組のＳＩＢは、すべてのユーザ機器（ＵＥ）により受信可能であり、
前記第２の組のＳＩＢは、前記フォワードスペースと前記バックワードスペースとの双方においてＳＩメッセージを受信することが可能なＵＥにより受信可能である請求項１２記載の装置。
【請求項１６】
第１の組の方程式に基づいて、前記フォワードスペース中の前記少なくとも１つのＳＩウィンドウのポジションを決定する手段と、
第２の組の方程式に基づいて、前記バックワードスペース中の前記少なくとも１つの付加的なＳＩウィンドウのポジションを決定する手段とをさらに具備する請求項１２記載の装置。
【請求項１７】
ワイヤレス通信のための装置において、
少なくとも１つのシステム情報（ＳＩ）メッセージを、基準時間の後のフォワードスペース中の少なくとも１つのＳＩウィンドウに割り当てるようにと、
少なくとも１つの付加的なＳＩメッセージを、前記基準時間より前のバックワードスペース中の少なくとも１つの付加的なＳＩウィンドウに割り当てるようにと、
前記ＳＩメッセージに対するＳＩウィンドウ内で、各ＳＩメッセージを送るように構成されている少なくとも１つのプロセッサを具備する装置。
【請求項１８】
前記少なくとも１つのプロセッサは、
前記ＳＩメッセージのインデックスと、前記ＳＩメッセージの周期と、すべてのＳＩメッセージに共通するＳＩウィンドウ長とに基づいて、各ＳＩメッセージに対する前記ＳＩウィンドウのポジションを決定するようにさらに構成されている請求項１７記載の装置。
【請求項１９】
前記少なくとも１つのプロセッサは、
送るためのＳＩメッセージのリストを決定するようにと、
前記リスト中の１つおきのＳＩメッセージを、前記フォワードスペース中のＳＩウィンドウに割り当てるようにと、
前記リスト中の残りの各ＳＩメッセージを、前記バックワードスペース中のＳＩウィンドウに割り当てるようにさらに構成されている請求項１７記載の装置。
【請求項２０】
前記少なくとも１つのプロセッサは、
前記少なくとも１つのＳＩメッセージ中で第１の組のシステム情報ブロック（ＳＩＢ）を送るようにと、
前記少なくとも１つの付加的なＳＩメッセージ中で第２の組のＳＩＢを送るようにさらに構成され、
前記第１の組のＳＩＢは、すべてのユーザ機器（ＵＥ）により受信可能であり、
前記第２の組のＳＩＢは、前記フォワードスペースと前記バックワードスペースとの双方においてＳＩメッセージを受信することが可能なＵＥにより受信可能である請求項１７記載の装置。
【請求項２１】
前記少なくとも１つのプロセッサは、
第１の組の方程式に基づいて、前記フォワードスペース中の前記少なくとも１つのＳＩウィンドウのポジションを決定するようにと、
第２の組の方程式に基づいて、前記バックワードスペース中の前記少なくとも１つの付加的なＳＩウィンドウのポジションを決定するようにさらに構成されている請求項１７記載の装置。
【請求項２２】
コンピュータプログラムにおいて、
少なくとも１つのコンピュータに、少なくとも１つのシステム情報（ＳＩ）メッセージを、基準時間の後のフォワードスペース中の少なくとも１つのＳＩウィンドウに割り当てさせるためのコードと、
前記少なくとも１つのコンピュータに、少なくとも１つの付加的なＳＩメッセージを、前記基準時間より前のバックワードスペース中の少なくとも１つの付加的なＳＩウィンドウに割り当てさせるためのコードと、
前記少なくとも１つのコンピュータに、前記ＳＩメッセージに対するＳＩウィンドウ内で、各ＳＩメッセージを送らせるためのコードとを含むコンピュータ読取可能媒体を具備するコンピュータプログラム。
【請求項２３】
システム情報を受信する方法において、
基準時間の後に続くフォワードスペース中の少なくとも１つのＳＩウィンドウに割り当てられている、少なくとも１つのシステム情報（ＳＩ）メッセージを識別することと、
前記基準時間より前のバックワードスペース中の少なくとも１つの付加的なＳＩウィンドウに割り当てられている、少なくとも１つの付加的なＳＩメッセージを識別することと、
前記ＳＩメッセージに対するＳＩウィンドウ内で、各ＳＩメッセージを受信することとを含む方法。
【請求項２４】
すべてのＳＩメッセージが反復する無線フレームに基づいて、前記基準時間を決定することをさらに含む請求項２３記載の方法。
【請求項２５】
前記ＳＩメッセージのインデックスと、前記ＳＩメッセージの周期と、すべてのＳＩメッセージに共通するＳＩウィンドウ長とに基づいて、各ＳＩメッセージに対する前記ＳＩウィンドウのポジションを決定することをさらに含む請求項２３記載の方法。
【請求項２６】
送られるＳＩメッセージのリストを受信することをさらに含み、
前記リスト中の１つおきのＳＩメッセージが、前記フォワードスペース中のＳＩウィンドウに割り当てられ、前記リスト中の残りの各ＳＩメッセージが、前記バックワードスペース中のＳＩウィンドウに割り当てられている請求項２３記載の方法。
【請求項２７】
前記少なくとも１つのＳＩメッセージから第１の組のシステム情報ブロック（ＳＩＢ）を取得することと、
前記少なくとも１つの付加的なＳＩメッセージから第２の組のＳＩＢを取得することとをさらに含み、
前記第１の組のＳＩＢは、すべてのユーザ機器（ＵＥ）に向けられており、
前記第２の組のＳＩＢは、前記フォワードスペースと前記バックワードスペースとの双方においてＳＩメッセージを受信することが可能なＵＥに向けられている請求項２３記載の方法。
【請求項２８】
送られるＳＩメッセージのリストを受信することをさらに含み、前記リストは、前記少なくとも１つの付加的なＳＩメッセージがその後に続く、前記少なくとも１つのＳＩメッセージを含む請求項２３記載の方法。
【請求項２９】
第１の組の方程式に基づいて、前記フォワードスペース中の前記少なくとも１つのＳＩウィンドウのポジションを決定することと、
第２の組の方程式に基づいて、前記バックワードスペース中の前記少なくとも１つの付加的なＳＩウィンドウのポジションを決定することとをさらに含む請求項２３記載の方法。
【請求項３０】
ワイヤレス通信のための装置において、
基準時間の後に続くフォワードスペース中の少なくとも１つのＳＩウィンドウに割り当てられている、少なくとも１つのシステム情報（ＳＩ）メッセージを識別する手段と、
前記基準時間より前のバックワードスペース中の少なくとも１つの付加的なＳＩウィンドウに割り当てられている、少なくとも１つの付加的なＳＩメッセージを識別する手段と、
前記ＳＩメッセージに対するＳＩウィンドウ内で、各ＳＩメッセージを受信する手段とを具備する装置。
【請求項３１】
前記ＳＩメッセージのインデックスと、前記ＳＩメッセージの周期と、すべてのＳＩメッセージに共通するＳＩウィンドウ長とに基づいて、各ＳＩメッセージに対する前記ＳＩウィンドウのポジションを決定する手段をさらに具備する請求項３０記載の装置。
【請求項３２】
送られるＳＩメッセージのリストを受信する手段をさらに具備し、
前記リスト中の１つおきのＳＩメッセージが、前記フォワードスペース中のＳＩウィンドウに割り当てられ、前記リスト中の残りの各ＳＩメッセージが、前記バックワードスペース中のＳＩウィンドウに割り当てられている請求項３０記載の装置。
【請求項３３】
前記少なくとも１つのＳＩメッセージから第１の組のシステム情報ブロック（ＳＩＢ）を取得する手段と、
前記少なくとも１つの付加的なＳＩメッセージから第２の組のＳＩＢを取得する手段とをさらに具備し、
前記第１の組のＳＩＢは、すべてのユーザ機器（ＵＥ）に向けられており、
前記第２の組のＳＩＢは、前記フォワードスペースと前記バックワードスペースとの双方においてＳＩメッセージを受信することが可能なＵＥに向けられている請求項３０記載の装置。
【請求項３４】
第１の組の方程式に基づいて、前記フォワードスペース中の前記少なくとも１つのＳＩウィンドウのポジションを決定する手段と、
第２の組の方程式に基づいて、前記バックワードスペース中の前記少なくとも１つの付加的なＳＩウィンドウのポジションを決定する手段とをさらに具備する請求項３０記載の装置。
【請求項３５】
ワイヤレス通信のための方法において、
第１の組の方程式に基づいて、少なくとも１つのシステム情報（ＳＩ）メッセージに対する少なくとも１つのＳＩウィンドウのポジションを決定することと、
第２の組の方程式に基づいて、少なくとも１つの付加的なＳＩメッセージに対する少なくとも１つの付加的なＳＩウィンドウのポジションを決定することとを含む方法。
【請求項３６】
前記ＳＩメッセージに対するＳＩウィンドウ内で、各ＳＩメッセージを送ることをさらに含む請求項３５記載の方法。
【請求項３７】
前記ＳＩメッセージに対するＳＩウィンドウ内で、各ＳＩメッセージを受信することをさらに含む請求項３５記載の方法。
【請求項３８】
前記少なくとも１つのＳＩウィンドウは、基準時間の後に続くフォワードスペース中に位置しており、
前記少なくとも１つの付加的なＳＩウィンドウは、前記基準時間より前のバックワードスペース中に位置している請求項３５記載の方法。
【請求項３９】
各ＳＩメッセージに対する前記ＳＩウィンドウのポジションは、前記ＳＩメッセージのインデックスと、前記ＳＩメッセージの周期と、すべてのＳＩメッセージに共通するＳＩウィンドウ長とに基づいて決定される請求項３５記載の方法。
【手続補正２】
【補正対象書類名】明細書
【補正対象項目名】００７７
【補正方法】変更
【補正の内容】
【００７７】
開示のこれまでの記述は、当業者が本開示を製作または使用できるように提供した。本開示に対するさまざま改良は当業者に容易に明らかとなり、ここに規定された一般的な原理は、本開示の精神または範囲を逸脱することなく、他バリエーションに適用してもよい。したがって、本開示はここで説明した例および設計に限定されることを意図しているものではなく、ここで開示している原理および新しい特徴と一致した最も広い範囲に一致させるべきである。
以下に、本願出願時の特許請求の範囲に記載された発明を付記する。
［１］システム情報を送る方法において、
少なくとも１つのシステム情報（ＳＩ）メッセージを、基準時間の後のフォワードスペース中の少なくとも１つのＳＩウィンドウに割り当てることと、
少なくとも１つの付加的なＳＩメッセージを、前記基準時間より前のバックワードスペース中の少なくとも１つの付加的なＳＩウィンドウに割り当てることと、
前記ＳＩメッセージに対するＳＩウィンドウ内で、各ＳＩメッセージを送ることとを含む方法。
［２］すべてのＳＩメッセージが反復する無線フレームに基づいて、前記基準時間を決定することをさらに含む［１］に記載の方法。
［３］前記ＳＩメッセージのインデックスと、前記ＳＩメッセージの周期と、すべてのＳＩメッセージに共通するＳＩウィンドウ長とに基づいて、各ＳＩメッセージに対する前記ＳＩウィンドウのポジションを決定することをさらに含む［１］に記載の方法。
［４］送るためのＳＩメッセージのリストを決定することをさらに含み、
前記リスト中の１つおきのＳＩメッセージが、前記フォワードスペース中のＳＩウィンドウに割り当てられ、前記リスト中の残りの各ＳＩメッセージが、前記バックワードスペース中のＳＩウィンドウに割り当てられる［１］に記載の方法。
［５］方程式： 
【数８】
2012508510.tif 000035
および、
【数９】
2012508510.tif 000036
にしたがって、各ＳＩメッセージに対する前記ＳＩウィンドウのポジションを決定することをさらに含み、
ｎはＳＩメッセージのインデックスであり、ＴnはＳＩメッセージｎの周期であり、ｘnはＳＩメッセージｎに対するＳＩウィンドウオフセットであり、ｗはＳＩウィンドウ長であり、ＳＦＮはシステムフレーム番号を示し、ＦＬＯＯＲはフロア演算を示し、ＣＥＩＬはシーリング演算を示し、“ｍｏｄ”はモジュロ演算を示している［１］に記載の方法。
［６］前記少なくとも１つのＳＩメッセージ中で第１の組のシステム情報ブロック（ＳＩＢ）を送ることと、
前記少なくとも１つの付加的なＳＩメッセージ中で第２の組のＳＩＢを送ることとをさらに含み、
前記第１の組のＳＩＢは、すべてのユーザ機器（ＵＥ）により受信可能であり、
前記第２の組のＳＩＢは、前記フォワードスペースと前記バックワードスペースとの双方においてＳＩメッセージを受信することが可能なＵＥにより受信可能である［１］に記載の方法。
［７］送るためのＳＩメッセージのリストを決定することをさらに含み、前記リストは、前記少なくとも１つの付加的なＳＩメッセージがその後に続く、前記少なくとも１つのＳＩメッセージを含む［１］に記載の方法。
［８］第１のインデックスｎを持つ前記少なくとも１つのＳＩメッセージを、前記フォワードスペースに対して割り当てることと、
第２のインデックスｍを持つ前記少なくとも１つの付加的なＳＩメッセージを、前記バックワードスペースに対して割り当てることとをさらに含む［１］に記載の方法。
［９］第１の組の方程式に基づいて、前記フォワードスペース中の前記少なくとも１つのＳＩウィンドウのポジションを決定することと、
第２の組の方程式に基づいて、前記バックワードスペース中の前記少なくとも１つの付加的なＳＩウィンドウのポジションを決定することとをさらに含む［１］に記載の方法。
［１０］方程式：
【数１０】
2012508510.tif 000037
および、
【数１１】
2012508510.tif 000038
にしたがって、前記少なくとも１つのＳＩメッセージのそれぞれに対するＳＩウィンドウのポジションを決定することをさらに含み、
ｎは前記少なくとも１つのＳＩメッセージの中のＳＩメッセージのインデックスであり、ＴnはＳＩメッセージｎの周期であり、ｘnはＳＩメッセージｎに対するＳＩウィンドウオフセットであり、ｗはＳＩウィンドウ長であり、ＳＦＮはシステムフレーム番号を示し、ＦＬＯＯＲはフロア演算を示し、“ｍｏｄ”はモジュロ演算を示している［１］に記載の方法。
［１１］方程式：
【数１２】
2012508510.tif 000039
および、
【数１３】
2012508510.tif 000040
にしたがって、前記少なくとも１つの付加的なＳＩメッセージのそれぞれに対するＳＩウィンドウのポジションを決定することをさらに含み、
ｍは前記少なくとも１つの付加的なＳＩメッセージの中のＳＩメッセージのインデックスであり、ＴmはＳＩメッセージｍの周期であり、ｘmはＳＩメッセージｍに対するＳＩウィンドウオフセットであり、ｗはＳＩウィンドウ長であり、ＳＦＮはシステムフレーム番号を示し、ＦＬＯＯＲはフロア演算を示し、“ｍｏｄ”はモジュロ演算を示している［１］に記載の方法。
［１２］ワイヤレス通信のための装置において、
少なくとも１つのシステム情報（ＳＩ）メッセージを、基準時間の後のフォワードスペース中の少なくとも１つのＳＩウィンドウに割り当てる手段と、
少なくとも１つの付加的なＳＩメッセージを、前記基準時間より前のバックワードスペース中の少なくとも１つの付加的なＳＩウィンドウに割り当てる手段と、
前記ＳＩメッセージに対するＳＩウィンドウ内で、各ＳＩメッセージを送る手段とを具備する装置。
［１３］前記ＳＩメッセージのインデックスと、前記ＳＩメッセージの周期と、すべてのＳＩメッセージに共通するＳＩウィンドウ長とに基づいて、各ＳＩメッセージに対する前記ＳＩウィンドウのポジションを決定する手段をさらに具備する［１２］に記載の装置。
［１４］送るためのＳＩメッセージのリストを決定する手段をさらに具備し、
前記リスト中の１つおきのＳＩメッセージが、前記フォワードスペース中のＳＩウィンドウに割り当てられ、前記リスト中の残りの各ＳＩメッセージが、前記バックワードスペース中のＳＩウィンドウに割り当てられる［１２］に記載の装置。
［１５］前記少なくとも１つのＳＩメッセージ中で第１の組のシステム情報ブロック（ＳＩＢ）を送る手段と、
前記少なくとも１つの付加的なＳＩメッセージ中で第２の組のＳＩＢを送る手段とをさらに具備し、
前記第１の組のＳＩＢは、すべてのユーザ機器（ＵＥ）により受信可能であり、
前記第２の組のＳＩＢは、前記フォワードスペースと前記バックワードスペースとの双方においてＳＩメッセージを受信することが可能なＵＥにより受信可能である［１２］に記載の装置。
［１６］第１の組の方程式に基づいて、前記フォワードスペース中の前記少なくとも１つのＳＩウィンドウのポジションを決定する手段と、
第２の組の方程式に基づいて、前記バックワードスペース中の前記少なくとも１つの付加的なＳＩウィンドウのポジションを決定する手段とをさらに具備する［１２］に記載の装置。
［１７］ワイヤレス通信のための装置において、
少なくとも１つのシステム情報（ＳＩ）メッセージを、基準時間の後のフォワードスペース中の少なくとも１つのＳＩウィンドウに割り当てるようにと、
少なくとも１つの付加的なＳＩメッセージを、前記基準時間より前のバックワードスペース中の少なくとも１つの付加的なＳＩウィンドウに割り当てるようにと、
前記ＳＩメッセージに対するＳＩウィンドウ内で、各ＳＩメッセージを送るように構成されている少なくとも１つのプロセッサを具備する装置。
［１８］前記少なくとも１つのプロセッサは、
前記ＳＩメッセージのインデックスと、前記ＳＩメッセージの周期と、すべてのＳＩメッセージに共通するＳＩウィンドウ長とに基づいて、各ＳＩメッセージに対する前記ＳＩウィンドウのポジションを決定するように構成されている［１７］に記載の装置。
［１９］前記少なくとも１つのプロセッサは、
送るためのＳＩメッセージのリストを決定するようにと、
前記リスト中の１つおきのＳＩメッセージを、前記フォワードスペース中のＳＩウィンドウに割り当てるようにと、
前記リスト中の残りの各ＳＩメッセージを、前記バックワードスペース中のＳＩウィンドウに割り当てるように構成されている［１７］に記載の装置。
［２０］前記少なくとも１つのプロセッサは、
前記少なくとも１つのＳＩメッセージ中で第１の組のシステム情報ブロック（ＳＩＢ）を送るようにと、
前記少なくとも１つの付加的なＳＩメッセージ中で第２の組のＳＩＢを送るように構成され、
前記第１の組のＳＩＢは、すべてのユーザ機器（ＵＥ）により受信可能であり、
前記第２の組のＳＩＢは、前記フォワードスペースと前記バックワードスペースとの双方においてＳＩメッセージを受信することが可能なＵＥにより受信可能である［１７］に記載の装置。
［２１］前記少なくとも１つのプロセッサは、
第１の組の方程式に基づいて、前記フォワードスペース中の前記少なくとも１つのＳＩウィンドウのポジションを決定するようにと、
第２の組の方程式に基づいて、前記バックワードスペース中の前記少なくとも１つの付加的なＳＩウィンドウのポジションを決定するように構成されている［１７］に記載の装置。
［２２］コンピュータプログラムプロダクトにおいて、
少なくとも１つのコンピュータに、少なくとも１つのシステム情報（ＳＩ）メッセージを、基準時間の後のフォワードスペース中の少なくとも１つのＳＩウィンドウに割り当てさせるためのコードと、
前記少なくとも１つのコンピュータに、少なくとも１つの付加的なＳＩメッセージを、前記基準時間より前のバックワードスペース中の少なくとも１つの付加的なＳＩウィンドウに割り当てさせるためのコードと、
前記少なくとも１つのコンピュータに、前記ＳＩメッセージに対するＳＩウィンドウ内で、各ＳＩメッセージを送らせるためのコードとを含むコンピュータ読取可能媒体を具備するコンピュータプログラムプロダクト。
［２３］システム情報を受信する方法において、
基準時間の後に続くフォワードスペース中の少なくとも１つのＳＩウィンドウに割り当てられている、少なくとも１つのシステム情報（ＳＩ）メッセージを識別することと、
前記基準時間より前のバックワードスペース中の少なくとも１つの付加的なＳＩウィンドウに割り当てられている、少なくとも１つの付加的なＳＩメッセージを識別することと、
前記ＳＩメッセージに対するＳＩウィンドウ内で、各ＳＩメッセージを受信することとを含む方法。
［２４］すべてのＳＩメッセージが反復する無線フレームに基づいて、前記基準時間を決定することをさらに含む［２３］に記載の方法。
［２５］前記ＳＩメッセージのインデックスと、前記ＳＩメッセージの周期と、すべてのＳＩメッセージに共通するＳＩウィンドウ長とに基づいて、各ＳＩメッセージに対する前記ＳＩウィンドウのポジションを決定することをさらに含む［２３］に記載の方法。
［２６］送られるＳＩメッセージのリストを受信することをさらに含み、
前記リスト中の１つおきのＳＩメッセージが、前記フォワードスペース中のＳＩウィンドウに割り当てられ、前記リスト中の残りの各ＳＩメッセージが、前記バックワードスペース中のＳＩウィンドウに割り当てられている［２３］に記載の方法。
［２７］前記少なくとも１つのＳＩメッセージから第１の組のシステム情報ブロック（ＳＩＢ）を取得することと、
前記少なくとも１つの付加的なＳＩメッセージから第２の組のＳＩＢを取得することとをさらに含み、
前記第１の組のＳＩＢは、すべてのユーザ機器（ＵＥ）に向けられており、
前記第２の組のＳＩＢは、前記フォワードスペースと前記バックワードスペースとの双方においてＳＩメッセージを受信することが可能なＵＥに向けられている［２３］に記載の方法。
［２８］送られるＳＩメッセージのリストを受信することをさらに含み、前記リストは、前記少なくとも１つの付加的なＳＩメッセージがその後に続く、前記少なくとも１つのＳＩメッセージを含む［２３］に記載の方法。
［２９］第１の組の方程式に基づいて、前記フォワードスペース中の前記少なくとも１つのＳＩウィンドウのポジションを決定することと、
第２の組の方程式に基づいて、前記バックワードスペース中の前記少なくとも１つの付加的なＳＩウィンドウのポジションを決定することとをさらに含む［２３］に記載の方法。
［３０］ワイヤレス通信のための装置において、
基準時間の後に続くフォワードスペース中の少なくとも１つのＳＩウィンドウに割り当てられている、少なくとも１つのシステム情報（ＳＩ）メッセージを識別する手段と、
前記基準時間より前のバックワードスペース中の少なくとも１つの付加的なＳＩウィンドウに割り当てられている、少なくとも１つの付加的なＳＩメッセージを識別する手段と、
前記ＳＩメッセージに対するＳＩウィンドウ内で、各ＳＩメッセージを受信する手段とを具備する装置。
［３１］前記ＳＩメッセージのインデックスと、前記ＳＩメッセージの周期と、すべてのＳＩメッセージに共通するＳＩウィンドウ長とに基づいて、各ＳＩメッセージに対する前記ＳＩウィンドウのポジションを決定する手段をさらに具備する［３０］に記載の装置。
［３２］送られるＳＩメッセージのリストを受信する手段をさらに具備し、
前記リスト中の１つおきのＳＩメッセージが、前記フォワードスペース中のＳＩウィンドウに割り当てられ、前記リスト中の残りの各ＳＩメッセージが、前記バックワードスペース中のＳＩウィンドウに割り当てられている［３０］に記載の装置。
［３３］前記少なくとも１つのＳＩメッセージから第１の組のシステム情報ブロック（ＳＩＢ）を取得する手段と、
前記少なくとも１つの付加的なＳＩメッセージから第２の組のＳＩＢを取得する手段とをさらに具備し、
前記第１の組のＳＩＢは、すべてのユーザ機器（ＵＥ）に向けられており、
前記第２の組のＳＩＢは、前記フォワードスペースと前記バックワードスペースとの双方においてＳＩメッセージを受信することが可能なＵＥに向けられている［３０］に記載の装置。
［３４］第１の組の方程式に基づいて、前記フォワードスペース中の前記少なくとも１つのＳＩウィンドウのポジションを決定する手段と、
第２の組の方程式に基づいて、前記バックワードスペース中の前記少なくとも１つの付加的なＳＩウィンドウのポジションを決定する手段とをさらに具備する［３０］に記載の装置。
［３５］ワイヤレス通信のための方法において、
第１の組の方程式に基づいて、少なくとも１つのシステム情報（ＳＩ）メッセージに対する少なくとも１つのＳＩウィンドウのポジションを決定することと、
第２の組の方程式に基づいて、少なくとも１つの付加的なＳＩメッセージに対する少なくとも１つの付加的なＳＩウィンドウのポジションを決定することとを含む方法。
［３６］前記ＳＩメッセージに対するＳＩウィンドウ内で、各ＳＩメッセージを送ることをさらに含む［３５］に記載の方法。
［３７］前記ＳＩメッセージに対するＳＩウィンドウ内で、各ＳＩメッセージを受信することをさらに含む［３５］に記載の方法。
［３８］前記少なくとも１つのＳＩウィンドウは、基準時間の後に続くフォワードスペース中に位置しており、
前記少なくとも１つの付加的なＳＩウィンドウは、前記基準時間より前のバックワードスペース中に位置している［３５］に記載の方法。
［３９］各ＳＩメッセージに対する前記ＳＩウィンドウのポジションは、前記ＳＩメッセージのインデックスと、前記ＳＩメッセージの周期と、すべてのＳＩメッセージに共通するＳＩウィンドウ長とに基づいて決定される［３５］に記載の方法。
【手続補正書】
【提出日】平成23年11月29日(2011.11.29)
【手続補正１】
【補正対象書類名】特許請求の範囲
【補正対象項目名】全文
【補正方法】変更
【補正の内容】
【特許請求の範囲】
【請求項１】
システム情報を送る方法において、
少なくとも１つのシステム情報（ＳＩ）メッセージを、基準時間の後のフォワードスペース中の少なくとも１つのＳＩウィンドウに割り当てることと、
少なくとも１つの付加的なＳＩメッセージを、前記基準時間より前のバックワードスペース中の少なくとも１つの付加的なＳＩウィンドウに割り当てることと、
前記ＳＩメッセージに対するＳＩウィンドウ内で、各ＳＩメッセージを送ることとを含む方法。
【請求項２】
すべてのＳＩメッセージが反復する無線フレームに基づいて、前記基準時間を決定することをさらに含む請求項１記載の方法。
【請求項３】
前記ＳＩメッセージのインデックスと、前記ＳＩメッセージの周期と、すべてのＳＩメッセージに共通するＳＩウィンドウ長とに基づいて、各ＳＩメッセージに対する前記ＳＩウィンドウのポジションを決定することをさらに含む請求項１記載の方法。
【請求項４】
送るためのＳＩメッセージのリストを決定することをさらに含み、
前記リスト中の１つおきのＳＩメッセージが、前記フォワードスペース中のＳＩウィンドウに割り当てられ、前記リスト中の残りの各ＳＩメッセージが、前記バックワードスペース中のＳＩウィンドウに割り当てられる請求項１記載の方法。
【請求項５】
方程式： 
【数１】
2012508510.tif 000041
および、
【数２】
2012508510.tif 000042
にしたがって、各ＳＩメッセージに対する前記ＳＩウィンドウのポジションを決定することをさらに含み、
ｎはＳＩメッセージのインデックスであり、ＴnはＳＩメッセージｎの周期であり、ｘnはＳＩメッセージｎに対するＳＩウィンドウオフセットであり、ｗはＳＩウィンドウ長であり、ＳＦＮはシステムフレーム番号を示し、ＦＬＯＯＲはフロア演算を示し、ＣＥＩＬはシーリング演算を示し、“ｍｏｄ”はモジュロ演算を示している請求項１記載の方法。
【請求項６】
前記少なくとも１つのＳＩメッセージ中で第１の組のシステム情報ブロック（ＳＩＢ）を送ることと、
前記少なくとも１つの付加的なＳＩメッセージ中で第２の組のＳＩＢを送ることとをさらに含み、
前記第１の組のＳＩＢは、すべてのユーザ機器（ＵＥ）により受信可能であり、
前記第２の組のＳＩＢは、前記フォワードスペースと前記バックワードスペースとの双方においてＳＩメッセージを受信することが可能なＵＥにより受信可能である請求項１記載の方法。
【請求項７】
送るためのＳＩメッセージのリストを決定することをさらに含み、前記リストは、前記少なくとも１つの付加的なＳＩメッセージがその後に続く、前記少なくとも１つのＳＩメッセージを含む請求項１記載の方法。
【請求項８】
第１のインデックスｎを持つ前記少なくとも１つのＳＩメッセージを、前記フォワードスペースに対して割り当てることと、
第２のインデックスｍを持つ前記少なくとも１つの付加的なＳＩメッセージを、前記バックワードスペースに対して割り当てることとをさらに含む請求項１記載の方法。
【請求項９】
第１の組の方程式に基づいて、前記フォワードスペース中の前記少なくとも１つのＳＩウィンドウのポジションを決定することと、
第２の組の方程式に基づいて、前記バックワードスペース中の前記少なくとも１つの付加的なＳＩウィンドウのポジションを決定することとをさらに含む請求項１記載の方法。
【請求項１０】
方程式：
【数３】
2012508510.tif 000043
および、
【数４】
2012508510.tif 000044
にしたがって、前記少なくとも１つのＳＩメッセージのそれぞれに対するＳＩウィンドウのポジションを決定することをさらに含み、
ｎは前記少なくとも１つのＳＩメッセージの中のＳＩメッセージのインデックスであり、ＴnはＳＩメッセージｎの周期であり、ｘnはＳＩメッセージｎに対するＳＩウィンドウオフセットであり、ｗはＳＩウィンドウ長であり、ＳＦＮはシステムフレーム番号を示し、ＦＬＯＯＲはフロア演算を示し、“ｍｏｄ”はモジュロ演算を示している請求項１記載の方法。
【請求項１１】
方程式：
【数５】
2012508510.tif 000045
および、
【数６】
2012508510.tif 000046
にしたがって、前記少なくとも１つの付加的なＳＩメッセージのそれぞれに対するＳＩウィンドウのポジションを決定することをさらに含み、
ｍは前記少なくとも１つの付加的なＳＩメッセージの中のＳＩメッセージのインデックスであり、ＴmはＳＩメッセージｍの周期であり、ｘmはＳＩメッセージｍに対するＳＩウィンドウオフセットであり、ｗはＳＩウィンドウ長であり、ＳＦＮはシステムフレーム番号を示し、ＦＬＯＯＲはフロア演算を示し、“ｍｏｄ”はモジュロ演算を示している請求項１記載の方法。
【請求項１２】
ワイヤレス通信のための装置において、
少なくとも１つのシステム情報（ＳＩ）メッセージを、基準時間の後のフォワードスペース中の少なくとも１つのＳＩウィンドウに割り当てる手段と、
少なくとも１つの付加的なＳＩメッセージを、前記基準時間より前のバックワードスペース中の少なくとも１つの付加的なＳＩウィンドウに割り当てる手段と、
前記ＳＩメッセージに対するＳＩウィンドウ内で、各ＳＩメッセージを送る手段とを具備する装置。
【請求項１３】
前記ＳＩメッセージのインデックスと、前記ＳＩメッセージの周期と、すべてのＳＩメッセージに共通するＳＩウィンドウ長とに基づいて、各ＳＩメッセージに対する前記ＳＩウィンドウのポジションを決定する手段をさらに具備する請求項１２記載の装置。
【請求項１４】
送るためのＳＩメッセージのリストを決定する手段をさらに具備し、
前記リスト中の１つおきのＳＩメッセージが、前記フォワードスペース中のＳＩウィンドウに割り当てられ、前記リスト中の残りの各ＳＩメッセージが、前記バックワードスペース中のＳＩウィンドウに割り当てられる請求項１２記載の装置。
【請求項１５】
前記少なくとも１つのＳＩメッセージ中で第１の組のシステム情報ブロック（ＳＩＢ）を送る手段と、
前記少なくとも１つの付加的なＳＩメッセージ中で第２の組のＳＩＢを送る手段とをさらに具備し、
前記第１の組のＳＩＢは、すべてのユーザ機器（ＵＥ）により受信可能であり、
前記第２の組のＳＩＢは、前記フォワードスペースと前記バックワードスペースとの双方においてＳＩメッセージを受信することが可能なＵＥにより受信可能である請求項１２記載の装置。
【請求項１６】
第１の組の方程式に基づいて、前記フォワードスペース中の前記少なくとも１つのＳＩウィンドウのポジションを決定する手段と、
第２の組の方程式に基づいて、前記バックワードスペース中の前記少なくとも１つの付加的なＳＩウィンドウのポジションを決定する手段とをさらに具備する請求項１２記載の装置。
【請求項１７】
ワイヤレス通信のための装置において、
少なくとも１つのシステム情報（ＳＩ）メッセージを、基準時間の後のフォワードスペース中の少なくとも１つのＳＩウィンドウに割り当てるようにと、
少なくとも１つの付加的なＳＩメッセージを、前記基準時間より前のバックワードスペース中の少なくとも１つの付加的なＳＩウィンドウに割り当てるようにと、
前記ＳＩメッセージに対するＳＩウィンドウ内で、各ＳＩメッセージを送るように構成されている少なくとも１つのプロセッサを具備する装置。
【請求項１８】
前記少なくとも１つのプロセッサは、
前記ＳＩメッセージのインデックスと、前記ＳＩメッセージの周期と、すべてのＳＩメッセージに共通するＳＩウィンドウ長とに基づいて、各ＳＩメッセージに対する前記ＳＩウィンドウのポジションを決定するようにさらに構成されている請求項１７記載の装置。
【請求項１９】
前記少なくとも１つのプロセッサは、
送るためのＳＩメッセージのリストを決定するようにと、
前記リスト中の１つおきのＳＩメッセージを、前記フォワードスペース中のＳＩウィンドウに割り当てるようにと、
前記リスト中の残りの各ＳＩメッセージを、前記バックワードスペース中のＳＩウィンドウに割り当てるようにさらに構成されている請求項１７記載の装置。
【請求項２０】
前記少なくとも１つのプロセッサは、
前記少なくとも１つのＳＩメッセージ中で第１の組のシステム情報ブロック（ＳＩＢ）を送るようにと、
前記少なくとも１つの付加的なＳＩメッセージ中で第２の組のＳＩＢを送るようにさらに構成され、
前記第１の組のＳＩＢは、すべてのユーザ機器（ＵＥ）により受信可能であり、
前記第２の組のＳＩＢは、前記フォワードスペースと前記バックワードスペースとの双方においてＳＩメッセージを受信することが可能なＵＥにより受信可能である請求項１７記載の装置。
【請求項２１】
前記少なくとも１つのプロセッサは、
第１の組の方程式に基づいて、前記フォワードスペース中の前記少なくとも１つのＳＩウィンドウのポジションを決定するようにと、
第２の組の方程式に基づいて、前記バックワードスペース中の前記少なくとも１つの付加的なＳＩウィンドウのポジションを決定するようにさらに構成されている請求項１７記載の装置。
【請求項２２】
コンピュータプログラムにおいて、
少なくとも１つのコンピュータに、少なくとも１つのシステム情報（ＳＩ）メッセージを、基準時間の後のフォワードスペース中の少なくとも１つのＳＩウィンドウに割り当てさせるためのコードと、
前記少なくとも１つのコンピュータに、少なくとも１つの付加的なＳＩメッセージを、前記基準時間より前のバックワードスペース中の少なくとも１つの付加的なＳＩウィンドウに割り当てさせるためのコードと、
前記少なくとも１つのコンピュータに、前記ＳＩメッセージに対するＳＩウィンドウ内で、各ＳＩメッセージを送らせるためのコードとを含むコンピュータプログラム。
【請求項２３】
システム情報を受信する方法において、
基準時間の後に続くフォワードスペース中の少なくとも１つのＳＩウィンドウに割り当てられている、少なくとも１つのシステム情報（ＳＩ）メッセージを識別することと、
前記基準時間より前のバックワードスペース中の少なくとも１つの付加的なＳＩウィンドウに割り当てられている、少なくとも１つの付加的なＳＩメッセージを識別することと、
前記ＳＩメッセージに対するＳＩウィンドウ内で、各ＳＩメッセージを受信することとを含む方法。
【請求項２４】
すべてのＳＩメッセージが反復する無線フレームに基づいて、前記基準時間を決定することをさらに含む請求項２３記載の方法。
【請求項２５】
前記ＳＩメッセージのインデックスと、前記ＳＩメッセージの周期と、すべてのＳＩメッセージに共通するＳＩウィンドウ長とに基づいて、各ＳＩメッセージに対する前記ＳＩウィンドウのポジションを決定することをさらに含む請求項２３記載の方法。
【請求項２６】
送られるＳＩメッセージのリストを受信することをさらに含み、
前記リスト中の１つおきのＳＩメッセージが、前記フォワードスペース中のＳＩウィンドウに割り当てられ、前記リスト中の残りの各ＳＩメッセージが、前記バックワードスペース中のＳＩウィンドウに割り当てられている請求項２３記載の方法。
【請求項２７】
前記少なくとも１つのＳＩメッセージから第１の組のシステム情報ブロック（ＳＩＢ）を取得することと、
前記少なくとも１つの付加的なＳＩメッセージから第２の組のＳＩＢを取得することとをさらに含み、
前記第１の組のＳＩＢは、すべてのユーザ機器（ＵＥ）に向けられており、
前記第２の組のＳＩＢは、前記フォワードスペースと前記バックワードスペースとの双方においてＳＩメッセージを受信することが可能なＵＥに向けられている請求項２３記載の方法。
【請求項２８】
送られるＳＩメッセージのリストを受信することをさらに含み、前記リストは、前記少なくとも１つの付加的なＳＩメッセージがその後に続く、前記少なくとも１つのＳＩメッセージを含む請求項２３記載の方法。
【請求項２９】
第１の組の方程式に基づいて、前記フォワードスペース中の前記少なくとも１つのＳＩウィンドウのポジションを決定することと、
第２の組の方程式に基づいて、前記バックワードスペース中の前記少なくとも１つの付加的なＳＩウィンドウのポジションを決定することとをさらに含む請求項２３記載の方法。
【請求項３０】
ワイヤレス通信のための装置において、
基準時間の後に続くフォワードスペース中の少なくとも１つのＳＩウィンドウに割り当てられている、少なくとも１つのシステム情報（ＳＩ）メッセージを識別する手段と、
前記基準時間より前のバックワードスペース中の少なくとも１つの付加的なＳＩウィンドウに割り当てられている、少なくとも１つの付加的なＳＩメッセージを識別する手段と、
前記ＳＩメッセージに対するＳＩウィンドウ内で、各ＳＩメッセージを受信する手段とを具備する装置。
【請求項３１】
前記ＳＩメッセージのインデックスと、前記ＳＩメッセージの周期と、すべてのＳＩメッセージに共通するＳＩウィンドウ長とに基づいて、各ＳＩメッセージに対する前記ＳＩウィンドウのポジションを決定する手段をさらに具備する請求項３０記載の装置。
【請求項３２】
送られるＳＩメッセージのリストを受信する手段をさらに具備し、
前記リスト中の１つおきのＳＩメッセージが、前記フォワードスペース中のＳＩウィンドウに割り当てられ、前記リスト中の残りの各ＳＩメッセージが、前記バックワードスペース中のＳＩウィンドウに割り当てられている請求項３０記載の装置。
【請求項３３】
前記少なくとも１つのＳＩメッセージから第１の組のシステム情報ブロック（ＳＩＢ）を取得する手段と、
前記少なくとも１つの付加的なＳＩメッセージから第２の組のＳＩＢを取得する手段とをさらに具備し、
前記第１の組のＳＩＢは、すべてのユーザ機器（ＵＥ）に向けられており、
前記第２の組のＳＩＢは、前記フォワードスペースと前記バックワードスペースとの双方においてＳＩメッセージを受信することが可能なＵＥに向けられている請求項３０記載の装置。
【請求項３４】
第１の組の方程式に基づいて、前記フォワードスペース中の前記少なくとも１つのＳＩウィンドウのポジションを決定する手段と、
第２の組の方程式に基づいて、前記バックワードスペース中の前記少なくとも１つの付加的なＳＩウィンドウのポジションを決定する手段とをさらに具備する請求項３０記載の装置。
【請求項３５】
ワイヤレス通信のための方法において、
第１の組の方程式に基づいて、少なくとも１つのシステム情報（ＳＩ）メッセージに対する少なくとも１つのＳＩウィンドウのポジションを決定することと、
第２の組の方程式に基づいて、少なくとも１つの付加的なＳＩメッセージに対する少なくとも１つの付加的なＳＩウィンドウのポジションを決定することとを含む方法。
【請求項３６】
前記ＳＩメッセージに対するＳＩウィンドウ内で、各ＳＩメッセージを送ることをさらに含む請求項３５記載の方法。
【請求項３７】
前記ＳＩメッセージに対するＳＩウィンドウ内で、各ＳＩメッセージを受信することをさらに含む請求項３５記載の方法。
【請求項３８】
前記少なくとも１つのＳＩウィンドウは、基準時間の後に続くフォワードスペース中に位置しており、
前記少なくとも１つの付加的なＳＩウィンドウは、前記基準時間より前のバックワードスペース中に位置している請求項３５記載の方法。
【請求項３９】
各ＳＩメッセージに対する前記ＳＩウィンドウのポジションは、前記ＳＩメッセージのインデックスと、前記ＳＩメッセージの周期と、すべてのＳＩメッセージに共通するＳＩウィンドウ長とに基づいて決定される請求項３５記載の方法。
【手続補正２】
【補正対象書類名】明細書
【補正対象項目名】００７７
【補正方法】変更
【補正の内容】
【００７７】
開示のこれまでの記述は、当業者が本開示を製作または使用できるように提供した。本開示に対するさまざま改良は当業者に容易に明らかとなり、ここに規定された一般的な原理は、本開示の精神または範囲を逸脱することなく、他バリエーションに適用してもよい。したがって、本開示はここで説明した例および設計に限定されることを意図しているものではなく、ここで開示している原理および新しい特徴と一致した最も広い範囲に一致させるべきである。
以下に、本願出願時の特許請求の範囲に記載された発明を付記する。
［１］システム情報を送る方法において、
少なくとも１つのシステム情報（ＳＩ）メッセージを、基準時間の後のフォワードスペース中の少なくとも１つのＳＩウィンドウに割り当てることと、
少なくとも１つの付加的なＳＩメッセージを、前記基準時間より前のバックワードスペース中の少なくとも１つの付加的なＳＩウィンドウに割り当てることと、
前記ＳＩメッセージに対するＳＩウィンドウ内で、各ＳＩメッセージを送ることとを含む方法。
［２］すべてのＳＩメッセージが反復する無線フレームに基づいて、前記基準時間を決定することをさらに含む［１］に記載の方法。
［３］前記ＳＩメッセージのインデックスと、前記ＳＩメッセージの周期と、すべてのＳＩメッセージに共通するＳＩウィンドウ長とに基づいて、各ＳＩメッセージに対する前記ＳＩウィンドウのポジションを決定することをさらに含む［１］に記載の方法。
［４］送るためのＳＩメッセージのリストを決定することをさらに含み、
前記リスト中の１つおきのＳＩメッセージが、前記フォワードスペース中のＳＩウィンドウに割り当てられ、前記リスト中の残りの各ＳＩメッセージが、前記バックワードスペース中のＳＩウィンドウに割り当てられる［１］に記載の方法。
［５］方程式： 
【数８】
2012508510.tif 000047
および、
【数９】
2012508510.tif 000048
にしたがって、各ＳＩメッセージに対する前記ＳＩウィンドウのポジションを決定することをさらに含み、
ｎはＳＩメッセージのインデックスであり、ＴnはＳＩメッセージｎの周期であり、ｘnはＳＩメッセージｎに対するＳＩウィンドウオフセットであり、ｗはＳＩウィンドウ長であり、ＳＦＮはシステムフレーム番号を示し、ＦＬＯＯＲはフロア演算を示し、ＣＥＩＬはシーリング演算を示し、“ｍｏｄ”はモジュロ演算を示している［１］に記載の方法。
［６］前記少なくとも１つのＳＩメッセージ中で第１の組のシステム情報ブロック（ＳＩＢ）を送ることと、
前記少なくとも１つの付加的なＳＩメッセージ中で第２の組のＳＩＢを送ることとをさらに含み、
前記第１の組のＳＩＢは、すべてのユーザ機器（ＵＥ）により受信可能であり、
前記第２の組のＳＩＢは、前記フォワードスペースと前記バックワードスペースとの双方においてＳＩメッセージを受信することが可能なＵＥにより受信可能である［１］に記載の方法。
［７］送るためのＳＩメッセージのリストを決定することをさらに含み、前記リストは、前記少なくとも１つの付加的なＳＩメッセージがその後に続く、前記少なくとも１つのＳＩメッセージを含む［１］に記載の方法。
［８］第１のインデックスｎを持つ前記少なくとも１つのＳＩメッセージを、前記フォワードスペースに対して割り当てることと、
第２のインデックスｍを持つ前記少なくとも１つの付加的なＳＩメッセージを、前記バックワードスペースに対して割り当てることとをさらに含む［１］に記載の方法。
［９］第１の組の方程式に基づいて、前記フォワードスペース中の前記少なくとも１つのＳＩウィンドウのポジションを決定することと、
第２の組の方程式に基づいて、前記バックワードスペース中の前記少なくとも１つの付加的なＳＩウィンドウのポジションを決定することとをさらに含む［１］に記載の方法。
［１０］方程式：
【数１０】
2012508510.tif 000049
および、
【数１１】
2012508510.tif 000050
にしたがって、前記少なくとも１つのＳＩメッセージのそれぞれに対するＳＩウィンドウのポジションを決定することをさらに含み、
ｎは前記少なくとも１つのＳＩメッセージの中のＳＩメッセージのインデックスであり、ＴnはＳＩメッセージｎの周期であり、ｘnはＳＩメッセージｎに対するＳＩウィンドウオフセットであり、ｗはＳＩウィンドウ長であり、ＳＦＮはシステムフレーム番号を示し、ＦＬＯＯＲはフロア演算を示し、“ｍｏｄ”はモジュロ演算を示している［１］に記載の方法。
［１１］方程式：
【数１２】
2012508510.tif 000051
および、
【数１３】
2012508510.tif 000052
にしたがって、前記少なくとも１つの付加的なＳＩメッセージのそれぞれに対するＳＩウィンドウのポジションを決定することをさらに含み、
ｍは前記少なくとも１つの付加的なＳＩメッセージの中のＳＩメッセージのインデックスであり、ＴmはＳＩメッセージｍの周期であり、ｘmはＳＩメッセージｍに対するＳＩウィンドウオフセットであり、ｗはＳＩウィンドウ長であり、ＳＦＮはシステムフレーム番号を示し、ＦＬＯＯＲはフロア演算を示し、“ｍｏｄ”はモジュロ演算を示している［１］に記載の方法。
［１２］ワイヤレス通信のための装置において、
少なくとも１つのシステム情報（ＳＩ）メッセージを、基準時間の後のフォワードスペース中の少なくとも１つのＳＩウィンドウに割り当てる手段と、
少なくとも１つの付加的なＳＩメッセージを、前記基準時間より前のバックワードスペース中の少なくとも１つの付加的なＳＩウィンドウに割り当てる手段と、
前記ＳＩメッセージに対するＳＩウィンドウ内で、各ＳＩメッセージを送る手段とを具備する装置。
［１３］前記ＳＩメッセージのインデックスと、前記ＳＩメッセージの周期と、すべてのＳＩメッセージに共通するＳＩウィンドウ長とに基づいて、各ＳＩメッセージに対する前記ＳＩウィンドウのポジションを決定する手段をさらに具備する［１２］に記載の装置。
［１４］送るためのＳＩメッセージのリストを決定する手段をさらに具備し、
前記リスト中の１つおきのＳＩメッセージが、前記フォワードスペース中のＳＩウィンドウに割り当てられ、前記リスト中の残りの各ＳＩメッセージが、前記バックワードスペース中のＳＩウィンドウに割り当てられる［１２］に記載の装置。
［１５］前記少なくとも１つのＳＩメッセージ中で第１の組のシステム情報ブロック（ＳＩＢ）を送る手段と、
前記少なくとも１つの付加的なＳＩメッセージ中で第２の組のＳＩＢを送る手段とをさらに具備し、
前記第１の組のＳＩＢは、すべてのユーザ機器（ＵＥ）により受信可能であり、
前記第２の組のＳＩＢは、前記フォワードスペースと前記バックワードスペースとの双方においてＳＩメッセージを受信することが可能なＵＥにより受信可能である［１２］に記載の装置。
［１６］第１の組の方程式に基づいて、前記フォワードスペース中の前記少なくとも１つのＳＩウィンドウのポジションを決定する手段と、
第２の組の方程式に基づいて、前記バックワードスペース中の前記少なくとも１つの付加的なＳＩウィンドウのポジションを決定する手段とをさらに具備する［１２］に記載の装置。
［１７］ワイヤレス通信のための装置において、
少なくとも１つのシステム情報（ＳＩ）メッセージを、基準時間の後のフォワードスペース中の少なくとも１つのＳＩウィンドウに割り当てるようにと、
少なくとも１つの付加的なＳＩメッセージを、前記基準時間より前のバックワードスペース中の少なくとも１つの付加的なＳＩウィンドウに割り当てるようにと、
前記ＳＩメッセージに対するＳＩウィンドウ内で、各ＳＩメッセージを送るように構成されている少なくとも１つのプロセッサを具備する装置。
［１８］前記少なくとも１つのプロセッサは、
前記ＳＩメッセージのインデックスと、前記ＳＩメッセージの周期と、すべてのＳＩメッセージに共通するＳＩウィンドウ長とに基づいて、各ＳＩメッセージに対する前記ＳＩウィンドウのポジションを決定するように構成されている［１７］に記載の装置。
［１９］前記少なくとも１つのプロセッサは、
送るためのＳＩメッセージのリストを決定するようにと、
前記リスト中の１つおきのＳＩメッセージを、前記フォワードスペース中のＳＩウィンドウに割り当てるようにと、
前記リスト中の残りの各ＳＩメッセージを、前記バックワードスペース中のＳＩウィンドウに割り当てるように構成されている［１７］に記載の装置。
［２０］前記少なくとも１つのプロセッサは、
前記少なくとも１つのＳＩメッセージ中で第１の組のシステム情報ブロック（ＳＩＢ）を送るようにと、
前記少なくとも１つの付加的なＳＩメッセージ中で第２の組のＳＩＢを送るように構成され、
前記第１の組のＳＩＢは、すべてのユーザ機器（ＵＥ）により受信可能であり、
前記第２の組のＳＩＢは、前記フォワードスペースと前記バックワードスペースとの双方においてＳＩメッセージを受信することが可能なＵＥにより受信可能である［１７］に記載の装置。
［２１］前記少なくとも１つのプロセッサは、
第１の組の方程式に基づいて、前記フォワードスペース中の前記少なくとも１つのＳＩウィンドウのポジションを決定するようにと、
第２の組の方程式に基づいて、前記バックワードスペース中の前記少なくとも１つの付加的なＳＩウィンドウのポジションを決定するように構成されている［１７］に記載の装置。
［２２］コンピュータプログラムプロダクトにおいて、
少なくとも１つのコンピュータに、少なくとも１つのシステム情報（ＳＩ）メッセージを、基準時間の後のフォワードスペース中の少なくとも１つのＳＩウィンドウに割り当てさせるためのコードと、
前記少なくとも１つのコンピュータに、少なくとも１つの付加的なＳＩメッセージを、前記基準時間より前のバックワードスペース中の少なくとも１つの付加的なＳＩウィンドウに割り当てさせるためのコードと、
前記少なくとも１つのコンピュータに、前記ＳＩメッセージに対するＳＩウィンドウ内で、各ＳＩメッセージを送らせるためのコードとを含むコンピュータ読取可能媒体を具備するコンピュータプログラムプロダクト。
［２３］システム情報を受信する方法において、
基準時間の後に続くフォワードスペース中の少なくとも１つのＳＩウィンドウに割り当てられている、少なくとも１つのシステム情報（ＳＩ）メッセージを識別することと、
前記基準時間より前のバックワードスペース中の少なくとも１つの付加的なＳＩウィンドウに割り当てられている、少なくとも１つの付加的なＳＩメッセージを識別することと、
前記ＳＩメッセージに対するＳＩウィンドウ内で、各ＳＩメッセージを受信することとを含む方法。
［２４］すべてのＳＩメッセージが反復する無線フレームに基づいて、前記基準時間を決定することをさらに含む［２３］に記載の方法。
［２５］前記ＳＩメッセージのインデックスと、前記ＳＩメッセージの周期と、すべてのＳＩメッセージに共通するＳＩウィンドウ長とに基づいて、各ＳＩメッセージに対する前記ＳＩウィンドウのポジションを決定することをさらに含む［２３］に記載の方法。
［２６］送られるＳＩメッセージのリストを受信することをさらに含み、
前記リスト中の１つおきのＳＩメッセージが、前記フォワードスペース中のＳＩウィンドウに割り当てられ、前記リスト中の残りの各ＳＩメッセージが、前記バックワードスペース中のＳＩウィンドウに割り当てられている［２３］に記載の方法。
［２７］前記少なくとも１つのＳＩメッセージから第１の組のシステム情報ブロック（ＳＩＢ）を取得することと、
前記少なくとも１つの付加的なＳＩメッセージから第２の組のＳＩＢを取得することとをさらに含み、
前記第１の組のＳＩＢは、すべてのユーザ機器（ＵＥ）に向けられており、
前記第２の組のＳＩＢは、前記フォワードスペースと前記バックワードスペースとの双方においてＳＩメッセージを受信することが可能なＵＥに向けられている［２３］に記載の方法。
［２８］送られるＳＩメッセージのリストを受信することをさらに含み、前記リストは、前記少なくとも１つの付加的なＳＩメッセージがその後に続く、前記少なくとも１つのＳＩメッセージを含む［２３］に記載の方法。
［２９］第１の組の方程式に基づいて、前記フォワードスペース中の前記少なくとも１つのＳＩウィンドウのポジションを決定することと、
第２の組の方程式に基づいて、前記バックワードスペース中の前記少なくとも１つの付加的なＳＩウィンドウのポジションを決定することとをさらに含む［２３］に記載の方法。
［３０］ワイヤレス通信のための装置において、
基準時間の後に続くフォワードスペース中の少なくとも１つのＳＩウィンドウに割り当てられている、少なくとも１つのシステム情報（ＳＩ）メッセージを識別する手段と、
前記基準時間より前のバックワードスペース中の少なくとも１つの付加的なＳＩウィンドウに割り当てられている、少なくとも１つの付加的なＳＩメッセージを識別する手段と、
前記ＳＩメッセージに対するＳＩウィンドウ内で、各ＳＩメッセージを受信する手段とを具備する装置。
［３１］前記ＳＩメッセージのインデックスと、前記ＳＩメッセージの周期と、すべてのＳＩメッセージに共通するＳＩウィンドウ長とに基づいて、各ＳＩメッセージに対する前記ＳＩウィンドウのポジションを決定する手段をさらに具備する［３０］に記載の装置。
［３２］送られるＳＩメッセージのリストを受信する手段をさらに具備し、
前記リスト中の１つおきのＳＩメッセージが、前記フォワードスペース中のＳＩウィンドウに割り当てられ、前記リスト中の残りの各ＳＩメッセージが、前記バックワードスペース中のＳＩウィンドウに割り当てられている［３０］に記載の装置。
［３３］前記少なくとも１つのＳＩメッセージから第１の組のシステム情報ブロック（ＳＩＢ）を取得する手段と、
前記少なくとも１つの付加的なＳＩメッセージから第２の組のＳＩＢを取得する手段とをさらに具備し、
前記第１の組のＳＩＢは、すべてのユーザ機器（ＵＥ）に向けられており、
前記第２の組のＳＩＢは、前記フォワードスペースと前記バックワードスペースとの双方においてＳＩメッセージを受信することが可能なＵＥに向けられている［３０］に記載の装置。
［３４］第１の組の方程式に基づいて、前記フォワードスペース中の前記少なくとも１つのＳＩウィンドウのポジションを決定する手段と、
第２の組の方程式に基づいて、前記バックワードスペース中の前記少なくとも１つの付加的なＳＩウィンドウのポジションを決定する手段とをさらに具備する［３０］に記載の装置。
［３５］ワイヤレス通信のための方法において、
第１の組の方程式に基づいて、少なくとも１つのシステム情報（ＳＩ）メッセージに対する少なくとも１つのＳＩウィンドウのポジションを決定することと、
第２の組の方程式に基づいて、少なくとも１つの付加的なＳＩメッセージに対する少なくとも１つの付加的なＳＩウィンドウのポジションを決定することとを含む方法。
［３６］前記ＳＩメッセージに対するＳＩウィンドウ内で、各ＳＩメッセージを送ることをさらに含む［３５］に記載の方法。
［３７］前記ＳＩメッセージに対するＳＩウィンドウ内で、各ＳＩメッセージを受信することをさらに含む［３５］に記載の方法。
［３８］前記少なくとも１つのＳＩウィンドウは、基準時間の後に続くフォワードスペース中に位置しており、
前記少なくとも１つの付加的なＳＩウィンドウは、前記基準時間より前のバックワードスペース中に位置している［３５］に記載の方法。
［３９］各ＳＩメッセージに対する前記ＳＩウィンドウのポジションは、前記ＳＩメッセージのインデックスと、前記ＳＩメッセージの周期と、すべてのＳＩメッセージに共通するＳＩウィンドウ長とに基づいて決定される［３５］に記載の方法。
【国際調査報告】
2012508510.tif 000053
2012508510.tif 000054
2012508510.tif 000055
2012508510.tif 000056
2012508510.tif 000057